(57)【要約】光バイオディスクとともに用いる論理トリガ方法とその装置。いくつかの実施形態は、ディスク表面に物理トリガを設ける。他の実施形態は、光バイオディスクのユーザデータエリアにトリガを論理的にエンコードする。さらに別の実施形態は、トリガをエンコードする目的で一般的な光ディスクの動作コンポーネント、例えばピット、ランド、および他の情報をエンコードする印（indicia）を利用する。一次デコーディングコンポーネントを用いて論理トリガをデコードする。あるいは、トリガを処理する目的で追加の二次デコーディングコンポーネントまたはデータプロセッサを用いることもできる。論理トリガは、ピット／ランドパターンにエンコードするか、ＣＤ−Ｒ／ＲＷディスクのウォブル信号のタイムコード制御情報にエンコードするか、ＤＶＤ−ＲＡＭ方式のディスクのヘッダアドレス情報中にエンコードするか、またはドライブの動作ロジックに重畳することができる。ディスク上に配置された化学物質による化学反応によって他のトリガパターンが呼び出される。
2005516336.tif 000002
【特許請求の範囲】
【請求項１】
トリガを光バイオディスク上にエンコードし、
前記トリガを検出し、
前記トリガを処理し、そして
前記トリガに関連するアクションを実行することを含むトリガ方法。
【請求項２】
前記トリガは物理トリガである請求項１に記載の方法。
【請求項３】
前記物理トリガは、前記光バイオディスクの表面に付加される請求項２に記載のトリガ方法。
【請求項４】
前記検出するステップは、追加の検出器を用い、それによって前記トリガを検出することをさらに含む、請求項３に記載の方法。
【請求項５】
前記処理するステップは、データプロセッサを用い、それによって前記物理トリガを処理することをさらに含む、請求項３に記載の方法。
【請求項６】
前記トリガは、ユーザデータにエンコードされたトリガである請求項１に記載の方法。
【請求項７】
前記トリガは、前記光バイオディスクのユーザデータ部分にエンコードされる請求項６に記載の方法。
【請求項８】
前記処理するステップは、二次デコーディングコンポーネントを用い、それによって前記ユーザデータにエンコードされたトリガをデコードすることをさらに含む、請求項７に記載の方法。
【請求項９】
前記トリガは論理トリガである請求項１に記載の方法。
【請求項１０】
前記処理するステップは、一次デコーディングコンポーネントを用い、それによって前記論理トリガをデコードすることをさらに含む、請求項９に記載の方法。
【請求項１１】
前記実行するステップは、前記一次デコーディングコンポーネントからの信号を監視し、それによって論理トリガがデコードされているかどうかを判定することをさらに含む、請求項１０に記載の方法。
【請求項１２】
前記一次デコーディングコンポーネントは、光ディスクドライブ内の標準的なデコーディングコンポーネントである請求項１０に記載の方法。
【請求項１３】
前記処理するステップは、二次デコーディングコンポーネントを用い、それによって前記論理トリガをデコードすることをさらに含む、請求項９に記載の方法。
【請求項１４】
前記論理トリガは、前記光バイオディスクの１つまたは複数のピットにエンコードされる請求項９に記載の方法。
【請求項１５】
前記論理トリガは、前記光バイオディスクの１つまたは複数のランドにエンコードされる請求項９に記載の方法。
【請求項１６】
前記論理トリガは、前記光バイオディスクの１つまたは複数のグルーブにエンコードされる請求項９に記載のトリガ方法。
【請求項１７】
前記論理トリガは、前記光バイオディスクの１つまたは山形マークにエンコードされる請求項９に記載のトリガ方法。
【請求項１８】
前記論理トリガは、前記光バイオディスクのプリランドピットパターンにエンコードされる請求項９に記載の方法。
【請求項１９】
前記光バイオディスクは、ＤＶＤ−Ｒ方式のディスクフォーマットに基づく請求項１８に記載の方法。
【請求項２０】
前記光バイオディスクは、ＤＶＤ＋Ｒ方式のディスクフォーマットに基づく請求項１８に記載の方法。
【請求項２１】
前記論理トリガは、前記プリランドピットパターンにエンコードされる標準的な仕様によって定義される制御情報にエンコードされる請求項１８に記載の方法。
【請求項２２】
前記論理トリガは、前記標準的な仕様によって定義される前記制御情報中の標準的な機能である請求項２１に記載の方法。
【請求項２３】
前記論理トリガは、前記標準的な仕様によって定義される前記制御情報中の予約ビットにエンコードされる請求項２１に記載の方法。
【請求項２４】
前記論理トリガは、ウォブルグルーブと一致するピットパターンに含まれる請求項９に記載の方法。
【請求項２５】
前記論理トリガは、前記光バイオディスクの前記ウォブルグルーブ内の変調信号にエンコードされる請求項９に記載の方法。
【請求項２６】
前記光バイオディスクは、ＣＤ−Ｒディスクフォーマットに基づく請求項２５に記載の方法。
【請求項２７】
前記光バイオディスクは、ＣＤ−ＲＷディスクフォーマットに基づく請求項２５に記載のトリガ方法。
【請求項２８】
前記論理トリガは、タイムコード情報にエンコードされる請求項２５に記載の方法。
【請求項２９】
前記論理トリガは、前記タイムコード情報の標準的な仕様による予め定義されたドライブ動作機能である請求項２８に記載の方法。
【請求項３０】
前記論理トリガは、前記タイムコード情報の前記標準的な仕様によって定義される予約ビットにエンコードされる請求項２８に記載の方法。
【請求項３１】
前記論理トリガは、前記タイムコード情報の前記標準的な仕様における未定義ビットにエンコードされる請求項２８に記載の方法。
【請求項３２】
前記光バイオディスクは、ＤＶＤ−ＲＡＭ型のフォーマットのものである請求項９に記載の方法。
【請求項３３】
前記論理トリガは、前記ＤＶＤ−ＲＡＭ型の光バイオディスクのヘッダアドレス情報にエンコードされる請求項３２に記載の方法。
【請求項３４】
前記論理トリガは、前記光バイオディスクの関連するサンプルエリアをタグ付けするために用いられ、それにより該関連するサンプルエリアは識別されランダムにアドレス指定されることができる請求項３３に記載の方法。
【請求項３５】
前記論理トリガは、前記ヘッダアドレスのＰＩＤフィールドにエンコードされる請求項３３に記載の方法。
【請求項３６】
前記処理するステップは、
アドレスを読み取り、
該アドレスを予め定義されたアドレスのリストと突き合わせ、それによって前記アドレスがトリガであるかどうかを判定し、そして
前記アドレスにアクションを関連付けることをさらに含む、請求項３３に記載の方法。
【請求項３７】
前記アクションは、特徴付けを開始することである請求項３６に記載の方法。
【請求項３８】
前記アクションは、特徴付けを終了することである請求項３６に記載の方法。
【請求項３９】
前記アクションは、データサンプリングの結果を前記光バイオディスク上の前記アドレスに関連する元のエリアに書き込むことである請求項３６に記載の方法。
【請求項４０】
前記アクションは、前記光ディスクドライブの動作モードを変更することである請求項３６に記載の方法。
【請求項４１】
前記論理トリガは、前記ヘッダアドレス情報の標準的な仕様による予め定義されたドライブ動作機能である請求項３３に記載の方法。
【請求項４２】
前記論理トリガは、前記ヘッダアドレス情報の標準的な仕様によって定義される予約ビットにエンコードされる請求項３３に記載の方法。
【請求項４３】
前記論理トリガは、前記ヘッダアドレス情報の標準的な仕様によって定義される未定義ビットにエンコードされる請求項３３に記載の方法。
【請求項４４】
前記論理トリガは、前記光バイオディスク内に作製される請求項３３に記載の方法。
【請求項４５】
前記論理トリガは、ソフトウェアプログラムによって前記光ディスクに書き込まれる請求項３３に記載の方法。
【請求項４６】
前記論理トリガは、バイオディスクドライブの動作ロジック内に重畳される信号パターンである請求項９に記載の方法。
【請求項４７】
前記信号パターンは、焦点情報セットから導出される請求項４６に記載の方法。
【請求項４８】
前記信号パターンは、トラッキング情報セットから導出される請求項４６に記載の方法。
【請求項４９】
前記信号パターンは、瞬時に動作機能を行う能力を下げることなく同期情報セットから導出される請求項４６に記載の方法。
【請求項５０】
前記信号パターンは、反射された動作信号に重畳される請求項４６に記載の方法。
【請求項５１】
前記信号パターンは、透過された信号に重畳される請求項４６に記載の方法。
【請求項５２】
前記論理トリガは、前記動作ロジックによって生成された信号が主経路においてデコードされる間に別個のデコーディング経路においてデコードされる請求項４６に記載の方法。
【請求項５３】
前記信号パターンは、前記光ディスクアセンブリにおける化学変化によって呼び出される請求項４６に記載の方法。
【請求項５４】
前記化学変化は瞬間的である請求項５３に記載の方法。
【請求項５５】
前記化学変化は所定期間にわたって反応する請求項５３に記載の方法。
【請求項５６】
前記所定期間は予め決められている請求項５３に記載の方法。
【請求項５７】
前記化学変化は、前記光バイオディスクの回転により生じる運動エネルギーを加えることによってトリガされる請求項５３に記載の方法。
【請求項５８】
前記化学変化は、レーザ光の偏光の変化を生じる請求項５３に記載の方法。
【請求項５９】
前記偏光の変化は、偏光の形状の円形から楕円形への変化である請求項５８に記載の方法。
【請求項６０】
前記論理トリガは、前記光バイオディスク上に干渉特徴を付加することによって前記デコーディング経路の一次または二次信号中に作成される請求項９に記載の方法。
【請求項６１】
前記干渉特徴は、透過された信号中にトリガ情報を作成する請求項６０に記載の方法。
【請求項６２】
前記エンコードするステップは、前記論理トリガを既存の誤り訂正方式において認識される未使用のリーガルワードとしてエンコードすることをさらに含む請求項９に記載の方法。
【請求項６３】
前記既存の誤り訂正方式はＥＦＭである請求項６２に記載の方法。
【請求項６４】
前記エンコードするステップは、
前記論理トリガを既存の誤り訂正方式では認識されないイリーガルワードとしてエンコードし、そして
前記論理トリガが任意の他の論理トリガから十分な距離にあり、前記既存の誤り訂正方式において訂正不能な誤り信号が生成されないことを確実にすることをさらに含む、請求項９に記載の方法。
【請求項６５】
前記誤り訂正方式はＥＦＭである請求項６４に記載の方法。
【請求項６６】
前記訂正不能な誤り信号はＣ１型またはＣ２型のものである請求項６４に記載の方法。
【請求項６７】
前記訂正不能な誤り信号はＰＩ型またはＰＯ型のものである請求項６４に記載の方法。
【請求項６８】
前記トリガをエンコードするステップは、
ディスク上の物理的な位置と複数のユーザデータファイルのサイズとの間の相関を計算
し、
ルックアップテーブルを構成し、そして
前記複数のユーザデータファイルをトリガとして書き込むことをさらに含む請求項１に記載の方法。
【請求項６９】
前記処理するステップは、二次デコーディングコンポーネントを用い、それによって前記ルックアップテーブルを用いて前記ユーザデータファイルを物理的な場所と相関させることをさらに含む、請求項６８に記載の方法。
【請求項７０】
前記実行するステップは、前記ユーザデータファイルに格納されている情報によって指定されるアクションを実行することをさらに含む請求項６９に記載の方法。
【請求項７１】
前記アクションはドライブ機能である請求項７０に記載の方法。
【請求項７２】
前記ドライブ機能は、１回目のデータサンプリングを開始するためのコマンドである請求項７１に記載の方法。
【請求項７３】
前記動作機能は、２回目のデータサンプリングを開始するためのコマンドである請求項７２に記載の方法。
【請求項７４】
前記ユーザデータファイルとともに複数の論理トリガを用いるステップをさらに含む請求項７０に記載の方法。
【請求項７５】
前記ユーザデータファイルとともに複数の物理トリガを用いるステップをさらに含む請求項７０に記載の方法。
【請求項７６】
前記アクションは、設定された期間のあいだのみ実行される請求項１に記載の方法。
【請求項７７】
前記アクションは、サンプルのデータサンプリングを開始することである請求項１に記載の方法。
【請求項７８】
前記アクションは、タイマを開始することである請求項１に記載の方法。
【請求項７９】
前記アクションは、タイマを停止することである請求項１に記載の方法。
【請求項８０】
前記アクションは、検査特徴の特徴付けを開始することである請求項１に記載の方法。
【請求項８１】
前記アクションは、検査特徴の特徴付けを終了することである請求項１に記載の方法。
【請求項８２】
前記アクションは、前記光バイオディスクを読み取るドライブのレーザを再集光することである請求項１に記載の方法。
【請求項８３】
前記アクションは、前記光バイオディスクを読み取るドライブのヘッドを再位置決めすることである請求項１に記載の方法。
【請求項８４】
前記アクションは、前記バイオディスクの回転速度を変更することである請求項１に記載の方法。
【請求項８５】
前記アクションは、前記光バイオディスクを読み取るドライブの動作モードを変更することである請求項１に記載の方法。
【請求項８６】
前記アクションは、前記光バイオディスクに書き込むドライブの書き込みレーザのパワーを上げることである請求項１に記載の方法。
【請求項８７】
前記アクションは、前記光バイオディスクを読み取るドライブの読み取りレーザのパワーを上げることである請求項１に記載の方法。
【請求項８８】
前記アクションは、前記光バイオディスクの回転を中断することである請求項１に記載の方法。
【請求項８９】
多層光バイオディスクの第１の表面上にトリガをエンコードし、そして
前記トリガを用い、それによって前記多層光バイオディスクを読み取る対物レンズアセンブリの焦点の方向を前記多層光バイオディスクの第２の表面へ変えることを含む、方法。
【請求項９０】
前記多層光バイオディスクは多層ＤＶＤディスクフォーマットに基づく請求項８９に記載の方法。
【請求項９１】
二次レーザを用い、それによって多層光バイオディスクの第２の層から特徴の像を、該多層光バイオディスクの第１の層を読み取る一次レーザ光源の光から生成される信号上に投影し、
前記信号を検出し、そして
論理的なトリガのために前記検出された信号をデコードすることを含む、トリガ方法。
【請求項９２】
多層光バイオディスクの第２の層上に特徴をインプレスし、それにより該特徴は、前記多層光バイオディスクの第１の層を読み取ることによって生成される信号上に投影され、それにより干渉パターンが作成され、
前記信号を検出し、そして
論理的なトリガのために前記干渉パターンをデコードすることを含むトリガ方法。
【請求項９３】
前記特徴はホログラフィック特徴である請求項９２に記載の方法。
【請求項９４】
前記検出するステップは、レーザ光源に対して反対側に取り付けられた検出器によって行われる請求項９２に記載の方法。
【請求項９５】
前記検出するステップは、レーザ光源と同一側にある検出器によって行われる請求項９２に記載の方法。
【請求項９６】
前記第２の層は、多層ＤＶＤディスクのレイヤ１である請求項９２に記載の方法。
【請求項９７】
前記第１の層は、多層ＤＶＤディスクのレイヤ０である請求項９２に記載の方法。
【請求項９８】
前記特徴は、前記第２の層の焦点面上に設けられる請求項９２に記載の方法。
【請求項９９】
前記特徴は、前記第２の層に対して遠位に設けられる請求項９２に記載の方法。
【請求項１００】
前記特徴は、前記第２の層と前記第１の層の間のエリアに設けられる請求項９２に記載の方法。
【請求項１０１】
光バイオディスクのアドレスシステムを作成する方法であって、
関連するサンプルエリアの一方の側に、スポットアドレスのバイナリエンコーディングを表す第１のトリガセットを設け、そして
前記サンプルエリアのもう一方の側に、前記関連するサンプルエリアの各部分の識別子のバイナリエンコーディングを表す第２のトリガセットを設けるステップを含む、方法。
【請求項１０２】
前記第１のトリガセットは、
リードイン信号を表す暗いトリガ、ならびに
前記関連するサンプルエリアのバイナリアドレスを表す複数の暗いトリガおよび明るいトリガを含む、請求項１０１に記載の方法。
【請求項１０３】
前記第２のトリガセットは、
前記関連するサンプルエリア内の各部分を識別するバイナリエンコーディングを表す複数の暗いトリガおよび明るいトリガ、
リードアウト信号を表す暗いトリガをさらに含む、請求項１０１に記載の方法。
【請求項１０４】
第１の明るいトリガを前記第１のトリガセットと前記関連するサンプルエリアの間に設け、
第２の明るいトリガを前記第２のトリガセットと前記関連するサンプルエリアの間に設けるステップとをさらに含む請求項１０１に記載の方法。
【請求項１０５】
セキュリティ特徴を光ディスク上にエンコードする方法であって、
エンコードされたデータキーを表す物理パターンを前記光ディスク上に設け、
前記物理パターンを検出できるようになっている光ディスクドライブを用い、それによって前記光ディスクを読み取り、
前記物理パターンをデコードし、それによって前記データキーを取り出し、
前記データキーを別のセキュリティキーと照合し、そして
前記照合するステップで一致が生じた場合に前記光ディスクを読み取ることを含む、方法。
【請求項１０６】
アドレス指定可能な光バイオディスクを読み取る方法であって、
前記光バイオディスクを光バイオドライブに入れ、
前記光バイオディスク上のトリガを検出し、
前記トリガをデコードし、それによってアドレスを取得し、そして
前記アドレスを用い、それによって関連アクションを行うことを含む、方法。
【請求項１０７】
前記光バイオディスクはＤＶＤ−ＲＡＭフォーマットに基づく、請求項１０６に記載の方法。
【請求項１０８】
前記トリガは、前記ＤＶＤ−ＲＡＭ方式の光バイオディスクのヘッダアドレスシステムである、請求項１０７に記載の方法。
【請求項１０９】
前記トリガは、前記光バイオディスク上の関連するサンプルエリアの一方の側に設けられる、請求項１０６に記載の方法。
【請求項１１０】
前記トリガはスポットアドレストリガである、請求項１０９に記載の方法。
【請求項１１１】
前記スポットアドレストリガは、
リードイン信号を表す暗いトリガ、および
前記関連するサンプルエリアのバイナリアドレスを表す複数の暗いトリガおよび明るいトリガとをさらに含む、請求項１１０に記載の方法。
【請求項１１２】
前記検出するステップは、
前記暗いトリガをデコードし、そして
プロセスを初期化し、それによって前記関連するサンプルエリアの特徴付けに備えることをさらに含む、請求項１１１に記載の方法。
【請求項１１３】
前記検出するステップは、前記複数の暗いトリガおよび明るいトリガをデコードし、それによって前記関連するサンプルエリアのアドレスを取り出すことをさらに含む、請求項１１１に記載の方法。
【請求項１１４】
前記トリガはチャンクアドレストリガである、請求項１０９に記載の方法。
【請求項１１５】
前記チャンクアドレストリガは、
前記関連するサンプルエリア内の各部分を識別するバイナリエンコーディングを表す複数の暗いトリガおよび明るいトリガ、ならびに
リードアウト信号を表す暗いトリガとをさらに含む、請求項１１４に記載の方法。
【請求項１１６】
前記検出するステップは、
前記暗いトリガをデコードし、そして
前記関連するサンプルエリアの特徴付けプロセスを終了することをさらに含む、請求項１１４に記載の方法。
【請求項１１７】
前記検出するステップは、前記複数の暗いトリガおよび明るいトリガを、前記関連するサンプルエリアの各部分を識別する識別子にデコードすることをさらに含む、請求項１１４に記載の方法。
【請求項１１８】
前記アクションは、検査特徴の特徴付けの変化を開始することである、請求項１０６に記載の方法。
【請求項１１９】
光バイオディスクに複数のトリガをエンコードし、
前記光バイオディスクのサンプルエリア上に検査特徴を設け、
前記光バイオディスクを光ディスクドライブに挿入し、
前記光ディスクドライブ内の検出器を用い、それによって前記複数のトリガのうちの１つを検出し、
前記複数のトリガのうちの１つをデコードし、そして
前記複数のトリガのうちの１つの検出時に前記サンプルエリア内の前記検査特徴の特徴付けを初期化することを含む、医療検定を行う方法。
【請求項１２０】
前記複数のトリガのうちの１つの検出時に前記サンプルエリア内の前記検査特徴の特徴付けを終了することをさらに含む請求項１１９に記載の方法。
【請求項１２１】
前記トリガは物理トリガである、請求項１１９に記載の方法。
【請求項１２２】
前記トリガは論理トリガである、請求項１１９に記載の方法。
【請求項１２３】
前記論理トリガは、前記光ディスクドライブの動作ロジック内に重畳される信号パターンである、請求項１１９に記載の方法。
【請求項１２４】
前記トリガは、ユーザデータにエンコードされたトリガである、請求項１１９に記載の方法。
【請求項１２５】
サンプルエリア、および
光バイオディスクの動作コンポーネント内にエンコードされたトリガとを備える光バイオディスク。
【請求項１２６】
前記トリガは論理トリガである請求項１２５に記載の光バイオディスク。
【請求項１２７】
前記論理トリガは、該光バイオディスクの１つまたは複数のピットにエンコードされる請求項１２６に記載の光バイオディスク。
【請求項１２８】
前記論理トリガは、該光バイオディスクの１つまたは複数のランドにエンコードされる請求項１２６に記載の光バイオディスク。
【請求項１２９】
前記論理トリガは、該光バイオディスクの１つまたは複数のグルーブにエンコードされる請求項１２６に記載の光バイオディスク。
【請求項１３０】
前記論理トリガは、光バイオディスクのウォブルグルーブの変調信号のタイムコード情報にエンコードされる請求項１２６に記載の光バイオディスク。
【請求項１３１】
前記論理トリガは、前記タイムコード情報の標準的な仕様による予め定義されたドライブ動作機能である請求項１３０に記載の光バイオディスク。
【請求項１３２】
前記論理トリガは、前記タイムコード情報の前記標準的な仕様によって定義される予約ビットにエンコードされる請求項１３０に記載の光バイオディスク。
【請求項１３３】
前記論理トリガは、前記タイムコード情報の前記標準的な仕様によって定義される未定義ビットにエンコードされる請求項１３０に記載の光バイオディスク。
【請求項１３４】
ＤＶＤ−ＲＡＭ型のフォーマットのものである請求項１２６に記載の光バイオディスク。
【請求項１３５】
前記論理トリガは、前記ＤＶＤ−ＲＡＭ型の光バイオディスクのヘッダアドレス情報にエンコードされる請求項１３４に記載の光バイオディスク。
【請求項１３６】
前記論理トリガは、該光バイオディスクの関連するサンプルエリアのタグ付けに用いられ、それにより該関連するサンプルエリアは識別されランダムにアドレス指定されることができる請求項１３５に記載の光バイオディスク。
【請求項１３７】
前記論理トリガは、前記ヘッダアドレスのＰＩＤフィールドにエンコードされる請求項１３５に記載の光バイオディスク。
【請求項１３８】
前記論理トリガは、既存の誤り訂正方式において認識されるリーガルワードとしてエンコードされる請求項１２６に記載の光バイオディスク。
【請求項１３９】
前記論理トリガは、既存の誤り訂正方式では認識されないイリーガルワードとしてエンコードされる請求項１２６に記載の光バイオディスク。
【請求項１４０】
トリガを有する光バイオディスク、および
前記トリガをデコードするように構成された一次デコーディングコンポーネントを含む光ディスクドライブとを備え、前記光ディスクは前記一次デコーディングコンポーネント
の結果を用いて前記トリガに関連するアクションを実行するトリガシステム。
【請求項１４１】
前記アクションは、前記光ディスクドライブ内のタイマを開始することである請求項１４０に記載のトリガシステム。
【請求項１４２】
前記アクションは、前記光バイオディスクのサンプルエリア上に置かれる検査特徴の特徴付けを開始することである請求項１４０に記載のトリガシステム。
【請求項１４３】
前記アクションは、前記光バイオディスクのサンプルエリア上に置かれる検査特徴の特徴付けを終了することである請求項１４０に記載のトリガシステム。
【請求項１４４】
前記アクションは、前記光ディスクドライブ内のタイマを停止することである請求項１４０に記載のトリガシステム。
【請求項１４５】
前記アクションは、前記光ディスクドライブ内のレーザを再集光することである請求項１４０に記載のトリガシステム。
【請求項１４６】
前記アクションは、前記光ディスクドライブのヘッドを再位置決めすることである請求項１４０に記載のトリガシステム。
【請求項１４７】
前記アクションは、前記光バイオディスクの回転速度を変更することである請求項１４０に記載のトリガシステム。
【請求項１４８】
前記トリガは物理トリガである請求項１４０に記載のトリガシステム。
【請求項１４９】
前記物理トリガは、前記光バイオディスクの表面に付加される請求項１４８に記載のトリガシステム。
【請求項１５０】
前記光ディスクドライブは、前記トリガを検出するように構成された検出器コンポーネントをさらに備える請求項１４９に記載のトリガシステム。
【請求項１５１】
前記光ディスクドライブは、前記物理トリガを処理するように構成されたデータプロセッサをさらに備える請求項１４９に記載のトリガシステム。
【請求項１５２】
前記トリガは、ユーザデータにエンコードされたトリガである請求項１４０に記載のトリガシステム。
【請求項１５３】
前記トリガは、前記光バイオディスクのユーザデータ部分にエンコードされる請求項１５２に記載のトリガシステム。
【請求項１５４】
前記光ディスクドライブは二次デコーディングコンポーネントをさらに備え、前記ユーザデータにエンコードされたトリガは該二次デコーディングコンポーネント内でデコードされる請求項１５３に記載のトリガシステム。
【請求項１５５】
前記トリガは論理トリガである請求項１４０に記載のトリガシステム。
【請求項１５６】
前記一次デコーディングコンポーネントからの信号は該システムによって監視されて、論理トリガがデコードされているかどうかを判定する請求項１５５に記載のトリガシステム。
【請求項１５７】
前記光ディスクドライブは二次デコーディングコンポーネントをさらに備え、前記論理トリガは該二次デコーディングコンポーネント内でデコードされる請求項１５５に記載のトリガシステム。
【請求項１５８】
前記論理トリガは、前記光バイオディスクの１つまたは複数のピットにエンコードされる請求項１５５に記載のトリガシステム。
【請求項１５９】
前記論理トリガは、前記光バイオディスクの１つまたは複数のランドにエンコードされる請求項１５５に記載のトリガシステム。
【請求項１６０】
前記論理トリガは、前記光バイオディスクの１つまたは複数のグルーブにエンコードされる請求項１５５に記載のトリガシステム。
【請求項１６１】
前記論理トリガは、前記光バイオディスクの１つまたは山形マークにエンコードされる請求項１５５に記載のトリガシステム。
【請求項１６２】
前記論理トリガは、前記光バイオディスクのプリランドピットパターンにエンコードされる請求項１５５に記載のトリガシステム。
【請求項１６３】
前記光バイオディスクは、ＤＶＤ−Ｒ方式のディスクフォーマットに基づく請求項１６２に記載のトリガシステム。
【請求項１６４】
前記光バイオディスクは、ＤＶＤ＋Ｒ方式のディスクフォーマットに基づく請求項１６２に記載のトリガシステム。
【請求項１６５】
前記論理トリガは、前記プリランドピットパターンの標準的な仕様によって定義される制御情報にエンコードされる請求項１６２に記載のトリガシステム。
【請求項１６６】
前記論理トリガは、前記制御情報の標準的な仕様によって定義される標準的な機能である請求項１６５に記載のトリガシステム。
【請求項１６７】
前記論理トリガは、前記制御情報の標準的な仕様によって定義される予約ビットにエンコードされる請求項１６５に記載のトリガシステム。
【請求項１６８】
前記論理トリガは、ウォブルグルーブと一致するピットパターンに含まれる請求項１５５に記載のトリガシステム。
【請求項１６９】
前記論理トリガは、前記光バイオディスクの前記ウォブルグルーブ内の変調信号にエンコードされる請求項１５５に記載のトリガシステム。
【請求項１７０】
前記光バイオディスクは、ＣＤ−Ｒディスクフォーマットに基づく請求項１６９に記載のトリガシステム。
【請求項１７１】
前記光バイオディスクは、ＣＤ−ＲＷディスクフォーマットに基づく請求項１６９に記載のトリガシステム。
【請求項１７２】
前記論理トリガは、タイムコード情報にエンコードされる請求項１６９に記載のトリガシステム。
【請求項１７３】
前記論理トリガは、前記タイムコード情報の標準的な仕様による予め定義されたドライ
ブ動作機能である請求項１７２に記載のトリガシステム。
【請求項１７４】
前記論理トリガは、前記タイムコード情報の前記標準的な仕様によって定義される予約ビットにエンコードされる請求項１７２に記載のトリガシステム。
【請求項１７５】
前記論理トリガは、前記タイムコード情報の前記標準的な仕様によって定義される未定義ビットにエンコードされる請求項１７２に記載のトリガシステム。
【請求項１７６】
前記光バイオディスクは、ＤＶＤ−ＲＡＭ型のフォーマットのものである請求項１５５に記載のトリガシステム。
【請求項１７７】
前記論理トリガは、前記ＤＶＤ−ＲＡＭ型の光バイオディスクのヘッダアドレス情報にエンコードされる請求項１７６に記載のトリガシステム。
【請求項１７８】
前記論理トリガは、前記光バイオディスクの関連するサンプルエリアをタグ付けするために用いられ、それにより該関連するサンプルエリアは識別されランダムにアドレス指定されることができる請求項１７７に記載のトリガシステム。
【請求項１７９】
前記論理トリガは、前記ヘッダアドレスのＰＩＤフィールドにエンコードされる請求項１７７に記載のトリガシステム。
【請求項１８０】
前記一次デコーダコンポーネントは、前記光バイオディスク上のアドレスを読み取り、該アドレスを予め定義されたアドレスのリストと突き合わせて前記アドレスがトリガであるかどうかを判定し、かつ該アドレスにアクションに関連付けるように構成される請求項１７７に記載のトリガシステム。
【請求項１８１】
前記アクションは、特徴付けを開始することである請求項１８０に記載のトリガシステム。
【請求項１８２】
前記アクションは、特徴付けを終了することである請求項１８０に記載のトリガシステム。
【請求項１８３】
前記アクションは、データサンプリングの結果を前記アドレスに関連する前記光バイオディスク上のエリアにもう一度書き込むことである、請求項１８０に記載のトリガシステム。
【請求項１８４】
前記アクションは、前記光ディスクドライブの動作モードを変更することである請求項１８０に記載のトリガシステム。
【請求項１８５】
前記論理トリガは、前記ヘッダアドレス情報の標準的な仕様による予め定義されたドライブ動作機能である請求項１８０に記載のトリガシステム。
【請求項１８６】
前記論理トリガは、前記ヘッダアドレス情報の標準的な仕様によって定義される予約ビットにエンコードされる請求項１７７に記載のトリガシステム。
【請求項１８７】
前記論理トリガは、前記ヘッダアドレス情報の標準的な仕様によって定義される未定義ビットにエンコードされる請求項１７７に記載のトリガシステム。
【請求項１８８】
前記論理トリガは、前記光バイオディスク内に作製される請求項１７７に記載のトリガシステム。
【請求項１８９】
前記論理トリガは、ソフトウェアプログラムによって前記光ディスクに書き込まれる請求項１７７に記載のトリガシステム。
【請求項１９０】
前記論理トリガは、前記光ディスクドライブの動作ロジック内に重畳される信号パターンである請求項１５５に記載のトリガシステム。
【請求項１９１】
前記信号パターンは、前記光ディスクドライブによって収集される焦点情報セットから導出される請求項１９０に記載のトリガシステム。
【請求項１９２】
前記信号パターンは、前記光ディスクドライブによって収集されるトラッキング情報セットから導出される請求項１９０に記載のトリガシステム。
【請求項１９３】
前記信号パターンは、前記光ディスクが瞬時に動作機能を行う能力を下げることなく同期情報セットから導出される請求項１９０に記載のトリガシステム。
【請求項１９４】
前記信号パターンは、反射された動作信号に重畳される請求項１９０に記載のトリガシステム。
【請求項１９５】
前記信号パターンは、透過された信号に重畳される請求項１９０に記載のトリガシステム。
【請求項１９６】
前記論理トリガは、前記動作ロジックによって生成された信号が主経路においてデコードされる間に別個のデコーディング経路においてデコードされる請求項１９０に記載のトリガシステム。
【請求項１９７】
前記信号パターンは、前記光ディスクアセンブリにおける化学変化によって呼び出される請求項１９０に記載のトリガシステム。
【請求項１９８】
前記化学変化は瞬間的である請求項１９７に記載のトリガシステム。
【請求項１９９】
前記化学変化は所定期間にわたって反応する請求項１９７に記載のトリガシステム。
【請求項２００】
前記所定期間は予め決められている請求項１９７に記載のトリガシステム。
【請求項２０１】
前記化学変化は、前記光バイオディスクの回転により生じる運動エネルギーを加えることによってトリガされる請求項１９７に記載のトリガシステム。
【請求項２０２】
前記化学変化は、前記光ディスクドライブのレーザ光の偏光の変化を生じる請求項１９７に記載のトリガシステム。
【請求項２０３】
前記偏光の変化は、偏光形状の円形から楕円形への変化である請求項２０２に記載のトリガシステム。
【請求項２０４】
前記論理トリガは、前記光バイオディスク上に干渉特徴を付加して前記光ディスクドライブの前記デコーディング経路において一次または二次信号を作成することによって作成される請求項１５５に記載のトリガシステム。
【請求項２０５】
前記干渉特徴は、透過された信号中にトリガ情報を作成する請求項２０４に記載のトリガシステム。
【請求項２０６】
前記論理トリガは、既存の誤り訂正方式において認識される未使用のリーガルワードとしてエンコードされる請求項１５５に記載のトリガシステム。
【請求項２０７】
前記既存の誤り訂正方式はＥＦＭである請求項２０６に記載のトリガシステム。
【請求項２０８】
前記論理トリガは、既存の誤り訂正方式では認識されないイリーガルワードとしてエンコードされ、かつ前記論理トリガは、任意の他の論理トリガから十分な距離にエンコードされ、前記既存の誤り訂正方式において訂正不能な誤り信号が生成されないようにする請求項１５５に記載のトリガシステム。
【請求項２０９】
前記誤り訂正方式はＥＦＭである請求項２０８に記載のトリガシステム。
【請求項２１０】
前記訂正不能な誤り信号はＣ１型またはＣ２型のものである請求項２０９に記載のトリガシステム。
【請求項２１１】
前記訂正不能な誤り信号はＰＩ型またはＰＯ型のものである請求項２０９に記載のトリガシステム。
【請求項２１２】
前記アクションは、設定された期間のあいだのみ実行される請求項１４０に記載のトリガシステム。
【請求項２１３】
前記アクションは、サンプルのデータサンプリングを開始することである請求項１４０に記載のトリガシステム。
【請求項２１４】
前記アクションは、前記光バイオディスクを読み取るドライブの動作モードを変更することである請求項１４０に記載のトリガシステム。
【請求項２１５】
前記アクションは、前記光バイオディスクに書き込む前記光ディスクドライブの書き込みレーザのパワーを上げることである請求項１４０に記載のトリガシステム。
【請求項２１６】
前記アクションは、前記光バイオディスクを読み取る前記光ドライブの読み取りレーザのパワーを上げることである請求項１４０に記載のトリガシステム。
【請求項２１７】
前記アクションは、前記光バイオディスクの回転を中断することである請求項１４０に記載のトリガシステム。
【請求項２１８】
前記光バイオディスクは一定線速度で回転する請求項１４０に記載のトリガシステム。
【請求項２１９】
前記光バイオディスクは一定角速度で回転する請求項１４０に記載の論理トリガシステム。
【請求項２２０】
既知のサイズの複数のユーザデータファイルを有する光バイオディスクと、
前記複数のユーザデータファイルを読み取るように構成されており、該複数のユーザデータファイルを読み取ることによって前記光バイオディスク上の複数の物理的な場所にアクセスできるようにする光ディスクドライブとを備えるトリガシステム。
【請求項２２１】
前記光ディスクドライブは、前記ユーザデータファイルと前記光バイオディスク上の前記物理的な場所との間の計算された相関を照合するルックアップテーブルを参照して二次デコーディングコンポーネントをさらに備える請求項２２０に記載のトリガシステム。
【請求項２２２】
前記光ディスクドライブは、前記複数のユーザデータファイルのうちの１つに格納されている情報によって指定されるアクションを実行する請求項２２０に記載のトリガシステム。
【請求項２２３】
前記アクションはドライブ機能である請求項２２２に記載のトリガシステム。
【請求項２２４】
前記ドライブ機能は、１回目のデータサンプリングを開始するためのコマンドである請求項２２３に記載のトリガシステム。
【請求項２２５】
前記動作機能は、２回目のデータサンプリングを開始するためのコマンドである請求項２２４に記載のトリガシステム。
【請求項２２６】
前記複数のユーザデータファイルとともに複数の論理トリガが前記光バイオディスク上にエンコードされる請求項２２１に記載のトリガシステム。
【請求項２２７】
焦点を有する対物レンズアセンブリを含む光ディスクドライブ、および
第１の表面上にエンコードされたトリガを有する多層光バイオディスクとを備え、前記トリガは、前記対物レンズアセンブリの前記焦点の方向を前記多層光バイオディスクの第２の表面へ変えるために用いられるトリガシステム。
【請求項２２８】
前記多層光バイオディスクは多層ＤＶＤディスクフォーマットに基づく請求項２２７に記載のトリガシステム。
【請求項２２９】
光ディスクドライブ、および
第１の層および第２の層を有し、該第２の層上にインプレスされた特徴が、前記光ディスクドライブにより前記第１の層を読み取ることによって生成される信号上に投影されると作成される干渉パターンを生じる多層光バイオディスクを備えるトリガシステム。
【請求項２３０】
前記干渉パターンは論理トリガとして使用できる請求項２２９に記載のトリガシステム。
【請求項２３１】
前記特徴はホログラフィック特徴である請求項２３０に記載のトリガシステム。
【請求項２３２】
前記光ディスクドライブの、前記信号を検出する検出器が、該光ディスクドライブのレーザ光源に対して反対側に取り付けられる請求項２３０に記載のトリガシステム。
【請求項２３３】
前記光ディスクドライブの、前記信号を検出する検出器が、該光ディスクドライブのレーザ光源と同一側に取り付けられる請求項２３０に記載のトリガシステム。
【請求項２３４】
前記多層光バイオディスクは多層ＤＶＤディスクである請求項２３０に記載のトリガシステム。
【請求項２３５】
前記特徴は、前記第２の層の焦点面上に設けられる請求項２３０に記載のトリガシステム。
【請求項２３６】
前記特徴は、前記第２の層に対して遠位に設けられる請求項２３０に記載のトリガシステム。
【請求項２３７】
前記特徴は、前記第２の層と前記第１の層の間のエリアに設けられる請求項２３０に記
載のトリガシステム。
【請求項２３８】
サンプルエリアと、
該サンプルエリアの一方の側に設けられたスポットアドレスのバイナリエンコーディングを表す第１のトリガセット、および
前記サンプルエリアのもう一方の側に設けられた、該サンプルエリアの各部分の識別子のバイナリエンコーディングを表す第２のトリガセットを備える光バイオディスク。
【請求項２３９】
前記第１のトリガセットは、
リードイン信号を表す暗いトリガ、および
前記関連するサンプルエリアのバイナリアドレスを表す複数の暗いトリガおよび明るいトリガとを含む請求項２３８に記載の光バイオディスク。
【請求項２４０】
前記第２のトリガセットは、
前記関連するサンプルエリア内の各部分を識別するバイナリエンコーディングを表す複数の暗いトリガおよび明るいトリガ、および
リードアウト信号を表す暗いトリガとをさらに含む請求項２３８に記載の光バイオディスク。
【請求項２４１】
前記第１のトリガセットと前記サンプルエリアの間に設けられる第１の明るいトリガ、および
前記第２のトリガセットと前記サンプルエリアの間に設けられる第２の明るいトリガとをさらに備える請求項２３８に記載の光バイオディスク。
【請求項２４２】
エンコードされたデータキーを表す物理パターンが上部に設けられた光ディスク、および
該光ディスクを読み取るように構成され、前記物理パターンを検出し、該物理パターンをデコードして前記データキーを取り出し、該データキーを別のセキュリティキーと照合することを試み、かつ前記データキーが前記別のセキュリティキーと一致した場合に前記光ディスクを読み取ることができるようになっている光ディスクドライブを備える保護された光ディスク読み取りシステム。
【請求項２４３】
２つの層を有する多層光バイオディスクであって、その第２の層上に設けられる特徴を受け取るようになっている、多層光バイオディスク、および
一次レーザおよび二次レーザを有する光ディスクドライブであって、前記二次レーザは、前記第２の層から前記特徴の像を、前記多層光バイオディスクの前記第１の層を読み取る前記一次レーザの光から生成される信号上に投影するように実施され、前記検出された信号が論理的なトリガのために用いられるようになっている、光ディスクドライブを備えるトリガシステム。
【発明の詳細な説明】
【技術分野】
【０００１】
［発明の背景］
１．発明の分野
本発明は、光バイオディスクまたはＢＣＤといった光分析ディスクの分野に関し、特にそのような光ディスクにおける論理的なトリガのための方法および装置に関する。
【０００２】
［関連出願の相互参照］
この出願は、２００２年１月２８日に出願された「Logical Triggering Methods and Apparatus For Use With Optical Analysis Discs and Related Disc Drive Systems」と題する米国仮特許出願第６０／３５２，６２５号（この開示内容はその全体が参照により本明細書中に援用される）の利益を主張する。
【背景技術】
【０００３】
２．関連技術の説明
ＣＤおよびＤＶＤは、大量のデータを格納し瞬時に取り出すことを可能にする。多くの場合にはオーディオ、ビジュアル、およびコンピュータプログラムデータがデジタルフォーマットでＣＤまたはＤＶＤに格納される。さらに、生体および化学サンプルの検出および特徴付け（characterization）に光ディスクが用いられている。様々なフォーマットの光ディスクを用いて関心の生体または化学サンプルを保持することができる。
【０００４】
標準的な光ディスク読み取り装置が光ディスクに対して作用するためには、光ディスク読み取り装置は通常、（１）光ディスクの作用面に正確に集光し、（２）螺旋状のトラックを正確にたどるかまたは光ディスク表面にわたる何らかの形態の一様な放射状の移動を使用し、（３）一形態の速度制御（ＣＡＶ（一定角速度）またはＣＬＶ（一定線速度）等）を容易にするために十分な情報を回収し、（４）光ディスクから収集した情報または光ディスクの作用面の信号パターンによって適切な電力制御を維持し、かつ（５）制御に用いられる情報（例えば対物レンズアセンブリの位置、回転速度、またはレーザビームの集光位置）に応答することができることが要求される。
【発明の開示】
【発明が解決しようとする課題】
【０００５】
これらの基本的な動作要件は、生体および化学サンプルを分析する目的で光ディスクを使用する際にも不可欠である。さらに、分析の実行中にそのようなディスクからのデータ収集を計時する必要がある。例えば、サンプルの特徴付けの開始または終了等の制御が必要である。不可欠で基本的な動作要件（焦点およびトラッキング等）を維持しながら、これらの分析光ディスクにおいてディスク動作およびデータ収集のより精密な制御を可能にするメカニズムが必要とされている。
【課題を解決するための手段】
【０００６】
［発明の概要］
本発明の実施形態は、光バイオディスクにおけるトリガ（triggering）のための方法および装置を対象とする。本発明の実施形態は、光バイオディスクの表面に物理トリガ(physical triggers)を設ける。このようなトリガは、読み取り装置によって容易に検出することができる。一実施形態では、追加の検出器を用いてそのようなトリガを検出する。トリガはデータプロセッサによって処理され、データプロセッサは、データサンプリングシステムが光バイオディスク上の検査特徴（investigational feature）の特徴付けを計時することを可能にする信号を送り出す。
【０００７】
別の実施形態において、トリガは、光バイオディスク上に書き込まれるユーザデータにエンコードされる。トリガが二次（secondary）デコーディングコンポーネントによって読み取られると、適切なアクションが行われる。二次デコーディングコンポーネントは多くの場合、トリガをデコードする目的で既存のディスク読み取り装置に追加される。論理トリガのさらに別の実施形態では、トリガパターンが光ディスク上にエンコードされて、対物レンズアセンブリを用いてトリガを照明できるようになっている。トリガが検出されデコードされると、システムは、トリガによって呼び出されるアクションを行うことによって応答することができる。
【０００８】
一実施形態によれば、この論理トリガ方法は、ディスクアセンブリ内に直接作製される（manufactured）トリガ特徴を作成する。これらのトリガ特徴は、光ディスクドライブ（または光ディスクドライブ上のコンポーネント）からの直接的なレーザ光と相互作用して、エンコードされた情報を含む信号を生成する。本発明の実施形態は、一次（primary）デコーダに内蔵された容易に利用可能なデコーディング機能を利用して、トリガ特徴をデコードするタスクを行う。より具体的には、論理トリガは、様々なタイプの光ディスクおよびドライブの動作において用いられるエンコードおよびデコード方法を統制する公開仕様（例えばレッドブック、オレンジブック、ＤＶＤ規格）を利用する。トリガは、デインタリーブ(de-interleaving)および誤り訂正(error-correction)等のタスクを行って光ディスクに格納されている元のデータを回復する一次デコーダが仕様に概要が示されている動作情報とともにトリガをデコードする間は、ディスクの読み取りを妨げないようにエンコードされる。これにより、光ディスクドライブへの変更が少なくなり、そのような実施形態の作製費が減る。
【０００９】
様々な実施形態において、トリガ特徴は、ピット(pits)、ランド(lands)、グルーブ（溝(grooves)）、相（phase）マーク、山形マーク（chevron mark）、またはドライブ機能を行う任意の他の動作コンポーネント(operation component)の使用を含む。別の実施形態によれば、トリガパターンは、ウォブルグルーブ（蛇行溝(wobbled groove）と重なるかまたは一致するピットパターンに含まれる。別の実施形態において、トリガパターンは、ＣＤ−Ｒ／ＲＷファミリーのディスクのウォブルグルーブ信号によって保持されるタイムコード情報にエンコードされる。例えばトリガは、ウォブルグルーブの変調信号に保持されるタイムコード情報にエンコードされる。
【００１０】
一実施形態において、トリガパターンは、ＤＶＤ−ＲＡＭ型のディスクのヘッダアドレス情報にエンコードされる。ＤＶＤ−ＲＡＭは、瞬時に場所を見つけることを可能にするように独自に作成された光ディスクフォーマットであるため、本発明は、トリガをディスク上のヘッダにエンコードすることによってヘッダアドレスシステムを利用する。このようにして、光バイオディスクのサンプルエリアを、標準的なＤＶＤ−ＲＡＭ読み取りコンポーネントを有する光ディスク読み取り装置によって容易にアドレス指定し、また、探索することができる。
【００１１】
さらに別の実施形態において、トリガパターンは、動作ロジック内に多重化される。この実施形態において、エンコードされた情報は、ディスクドライブが瞬時に動作機能を行う能力を下げることなく焦点、トラッキング、または同期信号情報から導出することができる。一実施形態において、このトリガパターン信号は動作信号に重畳（superimpose）されるが、従来のデコーディング経路とは別の単一経路においてデコードされてもよい。代替経路では追加のデコーダを用いてもよい。
【００１２】
本発明の他の実施形態は、既存のエンコーディング方式のリーガル（legal）であるが未使用のパターン（ワード（word））を用いる。一実施形態では、ＥＦＭエンコーディン
グ方式からの未使用のワードを論理トリガとして用いる。これらのワードは、ＣＤ方式の光バイオディスクにエンコードされると、標準的な誤り訂正機構におけるデコード動作に影響を与えることなくトリガとして用いられることができる。別の実施形態では、イリーガルワード（illegal word）を用いて、訂正可能な誤りを標準的なデコーディングコンポーネントによって増やす（raise）ようにする。
【００１３】
トリガ信号は、光バイオディスクアセンブリの二次層内またはその上に含めることもできる。例示的な実施形態において、１つの作用面からの論理トリガパルスが対物レンズアセンブリの集光動作を第１の作用面に平行な第２の作用面に送る。集光位置の移動は一時的であっても永久的であってもよい。集光位置は、明示的なコマンドによって移動されるのではなく、二次表面からの光の影響に関与するように十分ずらされる。
【００１４】
別の実施形態では、二次レーザを用いて、一次ビームと同一のサンプル光検出器内で論理トリガ応答を行う。また、反射または透過信号と相互作用するディスクの焦点面に含まれない物理特徴を用いて、トリガ信号応答を生成する干渉パターンを作成してもよい。例えば、ＤＶＤディスクのレイヤ１にホログラフィック特徴を設ける。レイヤ０からの光は動作経路において動作機能を行っている。レイヤ０からの光はレイヤ１のホログラフィック特徴へ透過されて、レイヤ１を越えた（レイヤ１に対して遠位の）検出器にトリガ信号応答を供給する。ホログラフィック特徴の物理コンポーネントは、レイヤ１の焦点面にあっても、レイヤ１に対して遠位にあっても、あるいはレイヤ０とレイヤ１の間のエリアに含まれていてもよい。
【００１５】
別の実施形態において、光ディスクアセンブリの設計は、集光される面の二次コンポーネントを使用して、レーザ光の一次コンポーネントから建設的に加減算するように設計された光学積層体（optical stack）を含む。このようにして、トリガ特徴をディスクの異なる物理コンポーネント上に含めるものの、ディスクアセンブリから収集した最終的な一次信号と相互作用することができる。
【００１６】
本発明の一実施形態は、ピットを用いてディスクの動作層上にマスタリングされる回折パターンである。回折パターン（格子(grating)）は、検出されるレーザ光量を少なくする。これは、周辺に集光される（marginally focused）レーザビームとともに用いられる。
【００１７】
一実施形態において、トリガは、光ディスクアセンブリの化学変化によって信号により呼び出される（invoked）。これは、物理ロジック（すなわち物理的にエンコードされる）ではなく化学ロジックの一形態（すなわち化学的にエンコードされる）である。このトリガ形態において、レーザエネルギー、ディスクの回転により生じる運動エネルギー、またはディスクに含まれる化学成分は、特徴的なトリガ信号を生じる化学反応を引き起こす可能性がある。このように検査システムプロセスは、反応によって十分なトリガ信号が生成されない限りサンプルエリアを無視する。例示的な実施形態において、化学反応は、サンプル領域における色の変化を生じる。反応が十分に強い色の変化を生じる場合、トリガが作成される。別の実施形態では、化学トリガを物理ロジックおよび／またはユーザデータにエンコードされたトリガロジックとともに用いる。
【００１８】
本発明の一実施形態は、物理トリガのエンコーディングを用いて、光バイオディスク上のサンプルエリアのアドレス指定方式を提供する。一方がチャンクアドレストリガと呼ばれ、もう一方がスポットアドレストリガと呼ばれる２つのトリガをサンプルエリアの両側に設ける。両方のトリガに対するバイナリエンコーディングは、エンボスピットによって行われて、読み取りシステムが関連するサンプルエリアの識別子（identifier）およびアドレス指定システムを推定することを可能にする。
【００１９】
別の実施形態において、トリガパターンは、光バイオディスク上にセキュリティ特徴としてエンコードされることができる。デコーディングプロセスは、ディスクをロックアウトするための特定のパターンを探すことができるため、ドライブは特定のタイプの光ディスクのみを読み取ることになる。
【００２０】
様々な実施形態において、トリガパターンは、ドライブ内の多くのタイプの物理プロセス（動作機能の一時的な変更を含む）を呼び出すために用いられる。また、トリガパターンを用いることによって、ディスク上のサンプルエリアの検査中に、回転毎に集光位置を一時的にずらすことができる。さらに、ドライブが特定のサンプルエリアと相互作用する際に、ディスクの回転速度を中断または変更してサンプリング信号を供給することができる。別の実施形態では、ドライブがディスク上のサンプルエリアと相互作用する際に、レーザ出力を一時的に増減させてトリガ信号を供給することができる。
【００２１】
論理トリガの使用はまた、バイオディスクドライブがバイオディスクを一定角速度で回転させることも可能にする。ＣＬＶでは、速度の変更は、ディスク表面と対物レンズアセンブリの間の関係を調整するために「リアルタイム」で行われている。これにより、サンプルエリアのデータ信号から抽出された像にわずかなジッタ(jitter)（方向のバイアス）が生じる。ＣＡＶでサンプルを収集することにより、この誤りは分離される。
【００２２】
本発明またはその様々な態様は、以下の同一の譲受人に譲渡された同時係属中の特許出願に開示されるディスク、検定、およびシステムにおいて容易に実施されるか、それに適応されるか、またはそれとともに使用することができる。１９９９年８月２３日に出願された「Methods and Apparatus for Analyzing Operational and Non-operational Data Acquired from Optical Discs」と題する米国特許出願第０９／３７８，８７８号、１９９９年８月２３日に出願された「Methods and Apparatus for Optical Disc Data Acquisition Using Physical Synchronization Markers」と題する米国仮特許出願第６０／１５０，２８８号、１９９９年１０月２６日に出願された「Trackable Optical Discs with Concurrently Readable Analyte Material」と題する米国特許出願第０９／４２１，８７０号、２０００年８月２１日に出願された「Methods and Apparatus for Optical Disc Data Acquisition Using Physical Synchronization Markers」と題する米国特許出願第０９／６４３，１０６号、２００１年１１月１５日に出願された「Optical Biodiscs with Reflective Layers」と題する米国特許出願第０９／９９９，２７４号、２００１年１１月
２０日に出願された「Methods and Apparatus for Detecting and Quantifying Lymphocytes with Optical Biodiscs」と題する米国特許出願第０９／９８８，７２８号、２００１年１１月１９日に出願された「Methods and Apparatus for Blood Typing with Optical Bio-discs」と題する米国特許出願第０９／９８８，８５０号、２００１年１１月２０日に出願された「Apparatus and Methods for Separating Agglutinants and Disperse Particles」と題する米国特許出願第０９／９８９，６８４号、２００１年１１月２７日に出願された「Dual Bead Assays Including Optical Biodiscs and Methods Relating Thereto」と題する米国特許出願第０９／９９７，７４１号、２００１年１１月３０日に出願された「Apparatus and Methods for Separating Components of Particulate Suspension」と題する米国特許出願第０９／９９７，８９５号、２００１年１２月７日に出願された「Optical Discs for Measuring Analytes」と題する米国特許出願第１０／００５，３１３号、２００１年１２月１０日に出願された「Methods for Detecting Analytes Using
Optical Discs and Optical Disc Readers」と題する米国特許出願第１０／００６，３７１号、２００１年１２月１０日に出願された「Multiple Data Layer Optical Discs for Detecting Analytes」と題する米国特許出願第１０／００６，６２０号、２００１年１２月１０日に出願された「Optical Disc Assemblies for Performing Assays」と題する米国特許出願第１０／００６，６１９号、２００１年１２月１４日に出願された「Detect
ion System For Disk-Based Laboratory and Improved Optical Bio-Disc Including Same」と題する米国特許出願第１０／０２０，１４０号、２００１年１２月２１日に出願された「Surface Assembly for Immobilizing DNA Capture Probes and Bead-Based Assay Including Optical Bio-Discs and Methods Relating Thereto」と題する米国特許出願第１０／０３５，８３６号、２００２年１月４日に出願された「Dual Bead Assays Including Covalent Linkages for Improved Specificity and Related Optical Analysis Discs」と題する米国特許出願第１０／０３８，２９７号、２００２年１月１０日に出願された「Optical Disc Analysis System Including Related Methods for Biological and Medical Imaging」と題する米国特許出願第１０／０４３，６８８号、２００２年１月１４日に出願された「Optical Disc Analysis System Including Related Signal Processing Methods and Software」と題する米国仮特許出願第６０／３４８，７６７号、２００２年２月２６日に出願された「Methods for DNA Conjugation Onto Solid Phase Including Related Optical Biodiscs and Disc Drive Systems」と題する米国特許出願第１０／０８６，９４１号、２００２年２月２８日に出願された「Methods for Decreasing Non-Specific Binding of Beads in Dual Bead Assays Including Related Optical Biodiscs and Disc Drive Systems」と題する米国特許出願第１０／０８７，５４９号、２００２年３月１４日に出願された「Dual Bead Assays Using Cleavable Spacers and/or Ligation to Improve Specificity and Sensitivity Including Related Methods and Apparatus」と題する米国特許出願第１０／０９９，２５６号、同じく２００２年３月１４日に出願された「Use of Restriction Enzymes and Other Chemical Methods to Decrease Non-Specific Binding in Dual Bead Assays and Related Bio-Discs, Methods, and System Apparatus for Detecting Medical Targets」と題する米国特許出願第１０／０９９，２６６号、２００２年４月１１日に出願された「Multi-Parameter Assays Including Analysis Discs and Methods Relating Thereto」と題する米国特許出願第１０／１２１，２８１号、２００２年３月１６日に出願された「Variable Sampling Control for Rendering Pixelization of Analysis Results in a Bio-Disc Assembly and Apparatus Relating Thereto」と題する米国特許出願第１０／１５０，５７５号、２００２年５月１７日に出願された「Surface Assembly For Immobilizing DNA Capture Probes in Genetic Assays Using Enzymatic Reactions to Generate Signals in Optical Bio-Discs and Methods Relating
Thereto」と題する米国特許出願第１０／１５０，７０２号、２００２年７月１２日に出願された「Optical Disc System and Related Detecting and Decoding Methods for Analysis of Microscopic Structures」と題する米国特許出願第１０／１９４，４１８号、同じく２００２年７月１２日に出願された「Multi-Purpose Optical Analysis Disc for Conducting Assays and Various Reporting Agents for Use Therewith」と題する米国特許出願第１０／１９４，３９６号、２００２年７月１９日に出願された「Transmissive Optical Disc Assemblies for Performing Physical Measurements and Methods Relating
Thereto」と題する米国特許出願第１０／１９９，９７３号、２００２年７月２２日に出願された「Optical Analysis Disc and Related Drive Assembly for Performing Interactive Centrifugation」と題する米国特許出願第１０／２０１，５９１号、２００２年７月２４日に出願された「Method and Apparatus for Bonded Fluidic Circuit for Optical Bio-Disc」と題する米国特許出願第１０／２０５，０１１号、同じく２００２年７月２４日に出願された「Magnetic Assisted Detection of Magnetic Beads Using Optical Disc Drives」と題する米国特許出願第１０／２０５，００５号、２００２年８月２９日に出願された「Methods for Qualitative and Quantitative Analysis of Cells and Related Optical Bio-Disc Systems」と題する米国特許出願第１０／２３０，９５９号、２００２年８月３０日に出願された「Capture Layer Assemblies for Cellular Assays Including Related Optical Analysis Discs and Methods」と題する米国特許出願第１０／２３３，３２２号、２００２年９月６日に出願された「Nuclear Morphology Based Identification and Quantification of White Blood Cell Types Using Optical Bio-Disc Systems」と題する米国特許出願第１０／２３６，８５７号、２００２年９月１１日に出願さ
れた「Methods for Differential Cell Counts Including Related Apparatus and Software for Performing Same」と題する米国特許出願第１０／２４１，５１２号、２００２年１０月２４日に出願された「Segmented Area Detector for Biodrive and Methods Relating Thereto」と題する米国特許出願第１０／２７９，６７７号、２００２年１１月１３日に出願された「Optical Bio-Discs and Fluidic Circuits for Analysis of Cells and Methods Relating Thereto」と題する米国特許出願第１０／２９３，２１４号、２００２年１１月１５日に出願された「Methods and Apparatus for Blood Typing with Optical Bio-Discs」と題する米国特許出願第１０／２９８，２６３号、２００２年１１月２７日に出願された「Magneto-Optical Bio-Discs and Systems Including Related Methods」と題する米国特許出願第１０／３０７，２６３号、２００３年１月１３日に出願された「Method and Apparatus for Visualizing Data」と題する米国特許出願第１０／３４１，３２６号、２００３年１月１４日に出願された「Methods and Apparatus for Extracting Data From an Optical Analysis Disc」と題する米国特許出願第１０／３４５，１２２号、２００３年１月１５日に出願された「Optical Discs Including Equi-Radial and/or Spiral Analysis Zones and Related Disc Drive Systems and Methods」と題する米国特許出願第１０／３４７，１５５号、２００３年１月１７日に出願された「Bio-Safe
Dispenser and Optical Analysis Disc Assembly」と題する米国特許出願第１０／３４７，１１９号、２００３年１月２１日に出願された「Multi-Purpose Optical Analysis Disc for Conducting Assays and Related Methods for Attaching Capture Agents」と題する米国特許出願第１０／ｘｘｘ，ｘｘｘ号、２００３年１月２１日に出願された「Processes for Manufacturing Optical Analysis Discs with Molded Microfluidic Structures and Discs Made According Thereto」と題する米国特許出願第１０／ｘｘｘ，ｘｘｘ号、２００３年１月２３日に出願された「Methods for Triggering Through Disc Grooves and Related Optical Analysis Discs and System」と題する米国特許出願第１０／ｘｘｘ，ｘｘｘ号、２００３年１月２３日に出願された「Bio-Safety Features for Optical Analysis Discs and Disc System Including Same」と題する米国特許出願第１０／ｘｘｘ，ｘｘｘ号、２００３年１月２４日に出願された「Manufacturing Processes for Making Optical Analysis Discs Including Successive Patterning Operations and Optical Discs Thereby Manufactured」と題する米国特許出願第１０／ｘｘｘ，ｘｘｘ号、および２００３年１月２７日に出願された「Processes for Manufacturing Optical Analysis Discs with Molded Microfluidic Structures and Discs Made According Thereto」と題する米国特許出願第１０／ｘｘｘ，ｘｘｘ号。これらの出願はすべてその全体を参照により本明細書中に援用される。したがってこれらの出願は本明細書中に完全に繰り返した場合と同様に、本明細書の論拠として背景および関連する開示を与える。
【００２３】
本明細書中に開示するような本発明による上述の方法および装置は、熟練した技術者が試験を行う必要のない単純で高速なディスク上での処理、小量のサンプル、安価な材料の使用、ならびに既知の光ディスクフォーマットおよびドライブ作製の使用を含むがそれらに限定されない１つまたは複数の利点を有することができる。これらおよび他の特徴および利点は、以下の詳細な説明を参照し、添付図面とともに解釈すればより良く理解されるであろう。
【００２４】
本発明の上記および他の特徴、態様および利点は、以下の説明、添付の特許請求の範囲、および添付図面に関してより良く理解されるであろう。
【００２５】
［発明の詳細な説明］
本発明は、光バイオディスクを用いた論理的なトリガための方法および装置である。以下の説明では、本発明の実施形態のより完全な説明を行うために多くの特定の詳細を記載する。しかしながら当業者には、これらの特定の詳細なしで本発明を実施することができることは明らかである。他の場合においては、本発明を不明瞭にしないように、既知の特
徴は詳細に説明していない。
【００２６】
光バイオドライブは、細胞係数および生体サンプル検定を行うための費用効率的で効果的な代案として実施されてきた。光バイオドライブ構成の一例を図１に示す。生体サンプルを収容する流体チャネルを有する光バイオディスク１１０が光ディスクドライブ１１２に挿入される。光ディスクドライブ１１２内の光学特徴が、光バイオディスク１１０内に収容されたサンプルに対して生物学的検定を行う。光ディスクドライブ１１２の光学機構は、そのレーザビームを光バイオディスク１１０に送り、検出器を用いて反射および／または透過光を検出する。検出された光は電気信号に変換され、この電気信号は、コンピュータ１１４によって分析することができるデータに変換される。ディスプレイコンピュータ１１４のモニタは検定の結果を表示する。このプロセス全体をサンプルの特徴付けと呼ぶ。２００１年１２月８日に出願された同時係属中の米国出願第１０／００６，６２０号および２００２年１月１０日に出願された米国出願第１０／０４３，６８８号は、特徴付け方法および装置のさらに詳細な説明を提供し、参照により本明細書中に完全に援用される。
【００２７】
光バイオディスクはＣＤやＤＶＤと似ている。しかしながらバイオディスクは、オーディオ／ビジュアルまたは他のデータの格納のみを行う代わりに、特定の病気を診断するために用いることができる。図１に示すように、光バイオディスク１１０は、ディスク上に埋め込まれる通常のデータとともにいくつかのサンプルエリアを有する。通常、試験サンプル（例えば尿または血液）がバイオディスクのレセプタクルに入れられて、様々な手段によって試験される。例えば、流体をディスクの反応領域に通してもよい。次に、流体または領域を分析して試験結果を判定する。
【００２８】
流体またはサンプルエリアを分析するために、レーザが所望の場所に向かって送られる。レーザ光が所望の場所に当たると、光の一部または全部が吸収、反射または透過される。バイオディスクドライブによって、反射光量を測定するもの、バイオディスクを透過した光量を測定するものがある。この測定は、あるサンプリングレート（すなわち、測定された信号がある期間中にサンプリングされる回数）でサンプリングされる連続的な信号を生じる。図２は、光バイオディスク１３０のサンプルエリア内のオブジェクト１３６の拡大図を提示する。
【００２９】
図３は、図１に示すもののようなバイオディスクドライブ装置の一例の内部機構の拡大図を示す。この図は、検査特徴（または他の信号要素）１３６を有する光ディスクアセンブリ１３０を、本発明により実施される光ディスクドライブ１４０（破線の境界によって示す）、バッファ増幅器カード１５２、ＡＤＣ（アナログ−デジタル変換器）１５０、ＰＣ１５８、およびディスプレイ１４６とともに示す。検査特徴(feature)は、細胞、生体サンプル、ビーズ、遺伝子材料、および任意の他の関心物質である可能性がある。一例では、未処理の検出された信号（Ａ、Ｂ、Ｃ、Ｄ、Ｅ、およびＦ）が引き出されて（tapped
off）外部のバッファ増幅器カード１５２に直接供給される。検出された信号Ａ、Ｂ、Ｃ、Ｄ、Ｅ、およびＦは、光ディスクドライブのドライブバッファ１５１において処理されてから、外部のバッファ増幅器カード１５２に入る。引き出された未処理の信号およびドライブバッファ１５１により処理された信号は、外部のバッファ増幅器カード１５２に供給される。外部バッファ増幅器カード１５２を出た信号は、さらなる処理のためにＡＤＣ１５０に入る。
【００３０】
トリガおよびサンプルエリア
多くの場合、検出された信号は光バイオディスク上の特定の場所でのみ読み取ることが望ましい。したがって、本発明の実施形態は、サンプリングされた信号の読み取りの開始および終了をトリガに頼る。図３を引き続き参照すると、駆動モータ９５およびコントロ
ーラ９６は、ディスク１３０の回転を制御するために供給される。ハードウェアのトリガセンサ１４１を用いることができる。トリガセンサ１４１は、入射ビーム１３７が標的領域（サンプルエリア）１３５にあるときにのみデータの収集を可能にするＡＤＣ１５０に信号を供給する。光バイオディスク１３０は、トリガセンサ１４１によって読み取られるトリガマーク１６６を含み、トリガセンサ１４１はトリガ信号をトリガカード１６４に供給する。トリガカード１６４は、バッファカード１５２上で実施されることが好ましいが、そうである必要はない。トリガセンサ１４１は、ディスクアセンブリ１３０の下側に配置されてもよい。本システムは、透過光１６２を検出する上部検出器１６０も含むことができる。この光は、半反射性ディスクを通過するか、またはディスクの反射層が部分的に除去されたエリアを通過することができる。
【００３１】
１つのシステムでは、不透明のマークがバイオディスクの外側エッジに設けられて、読み取りの開始および終了をトリガする。図４は、標的領域１３５およびトリガマーク１６６を有するディスクの一例１３０の平面図を示す。ハードウェアトリガマーク１６６は、ディスクの外周に配置され、標的領域１３５と半径方向に一直線上にある。
【００３２】
ここで一時的に図３に戻ると、トリガカード１６４は、トリガマーク１６６および検査特徴１３６が入射ビーム１３７に対して所定の位置にいつ到達したかを示す信号を供給することが示されている。この信号は、ＡＤＣ１５０において行われるＡ／Ｄ変換を検査特徴１３６の位置と同期させるために用いられる。例えば、トリガマーク１６６は、バイオディスク１３０の検査特徴を含むセクタの直前に設けられる。トリガカード１６４がトリガマーク１６６を検出すると、ＡＤＣ１５０は、所定の短い時間待ってから、バッファカード１５２によって抽出される、検査特徴の存在を示すデータとしての信号の処理を開始する。
【００３３】
図５は、ＴＡＤ（トリガ、増幅器、検出器）カード８２とディスクドライブ機構の相互関係を示すブロック図である。図示のように、光コンポーネント９２が、キャリッジモータ９４によって駆動されるキャリッジアセンブリ１７２に取り付けられ、ディスクはディスクモータ９５によって駆動される。キャリッジアセンブリ１７２は光ピックアップユニット（ＯＰＵ）を含む。ＣＰＵ８７からの信号を受け取るコントローラ９６が２つのモータを駆動する。光コンポーネント９２からのデータ、トリガ検出器信号８３、および透過型（上部）検出器１６０または検出器アレイからの信号９７はすべてＴＡＤ８２に供給される。透過または反射光ビームからの信号を処理する検出器は、単一の検出器要素または半径方向または円周方向に配置される複数の要素のアレイであってよい。検出器は、レーザに対してディスクの反対側に設けるか、またはＴＡＤに直接または別個に取り付けることができる。
【００３４】
トリガタイプ
トリガは、バイオディスクを用いて検定を行う上で重要な側面である。適切なトリガは、同期されたデータの収集および光バイオディスク上のサンプリングエリアの検査特徴データのサンプリングを可能にする。検査特徴は、細胞、生体サンプル、ビーズ、遺伝子材料、および任意の他の関心物質である可能性がある。さらにトリガは、サンプルエリア識別子、アドレスタグおよび光バイオディスク読み取り装置に対する機能的指示（functional directives）の役割を果たすことができる。
【００３５】
次に図６を参照して、実行可能な異なるタイプのトリガに関わる光バイオディスクアセンブリのハードウェアコンポーネントを示す概念図を示す。コンポーネント１９０において、読み取りアセンブリは、ディスクを読み取って、ディスクによって反射されたかまたはディスクを透過した信号を検出する。様々なトリガの形態がディスク上に形成され、その効果は検出された信号に組み込まれる。コンポーネント１９２において、アナログ信号
が検出器から生成される。コンポーネント１９４は通常、アナログ信号をデジタル信号レベルに変換するアナログ−デジタル変換器の一形態である。
【００３６】
コンポーネント１９４からのこのデジタル信号出力が与えられると、様々なトリガ方法は次に、コンポーネント１９６、１９８、および２００に頼って、トリガ信号をデコードするタスクを行う。図６に示すコンポーネントを参照して様々なタイプのトリガを説明することができる。
【００３７】
物理トリガ
物理トリガは、光ディスク表面に付加（add）される可視マーカである。通常は、マーカ読み取り専用の追加の検出器を光バイオディスク読み取り装置内に設置する。上記の図４および図５は、追加の検出器を有する物理的なトリガ装置の一例を示す。このシナリオにおいて、トリガは、デインタリーブおよび誤り訂正等のタスクを行って光ディスクに格納されているデータを回復する一次デコーダ１９６、または任意選択の二次デコーダ１９８のいずれかではデコードされない。一次（primary）デコーダコンポーネントは通常、一般的な光ディスクドライブ内の標準的なコンポーネントであり、一方、二次デコーダはそうではない。その代わりに、このタイプの物理トリガでは、トリガはプロセッサコンポーネント２００によって処理されて、データサンプリングの開始および終了を制御する。これは、プロセッサコンポーネント２００が追加の検出器から制御信号を受け取るためである。
【００３８】
追加の物理トリガの存在が光ドライブ内の追加の検出器を自動的に必要とするわけではない。本発明の実施形態は、ＣＤ方式またはＤＶＤ方式のドライブ等の標準的な光ディスクドライブに追加される特別な検出器を必要とせずに、物理トリガを有する光バイオディスクを読み取る。
【００３９】
ユーザデータにエンコードされたトリガ（user data encoded triggers）
データにエンコードされたトリガでは、トリガは通常、光バイオディスクに書き込まれるユーザデータにエンコードされる。構成は、エンコードされたトリガをデコードするためのソフトウェアまたはハードウェアであってよい二次デコーディングコンポーネント（１９８）に頼る。別の実施形態では、データプロセッサコンポーネント２００が、トリガのデコードを担当する。なお、プロセッサコンポーネント２００はソフトウェアまたはハードウェアで実施できる。なお、トリガはユーザデータにエンコードされるため、一次デコーダコンポーネント１９６はそのようなトリガの存在に気付かない。一次デコーディングコンポーネント１９６によって行われる通常の動作に影響はない。
【００４０】
論理トリガ
本発明の一実施形態は、ディスク上のエンコードされたパターンと、標準的な光ディスクドライブ内にある一次デコーダ１９６との間の論理的な相互作用に頼る論理トリガ方法である。論理トリガのいくつかの実施形態において、トリガ特徴は、ディスクアセンブリの動作特徴内（例えばピット、ランド、グルーブ）に作製される。トリガ特徴は、光ディスクドライブから送られてくるレーザ光と相互作用して、エンコードされた情報を含む信号を生成する。本発明の実施形態は、一次デコーダ１９６に内蔵された容易に利用可能なデコーディング機能を利用して、トリガ特徴をデコードするタスクを行う。より具体的には、論理トリガは、様々なタイプの光ディスクおよびドライブの動作に用いられるエンコードおよびデコード方法を統制する公開仕様（例えばレッドブック、オレンジブック、ＤＶＤ規格）を利用する。トリガは、デインタリーブおよび誤り訂正等のタスクを行って光ディスクに格納されている元のデータを回復する一次デコーダ１９６が仕様に概要が示されている動作情報とともにトリガをデコードする間は、ディスクの読み取りを妨げないようにエンコードされる。これにより、光ディスクドライブへの変更が少なくなり、そのよ
うな実施形態の作製費が減る。いくつかの実施形態では、一次デコーダコンポーネント１９６に対する変更は必要ない。一次デコーダからの標準的な出力信号は単に、デコードされている間のトリガの検出を示すためにシステムによって監視される。いくつかの実施形態においては、必要なのは、一次デコーディングコンポーネントに対するファームウェアの更新のみである。例えば、論理トリガ特徴を光バイオディスクのウォブルグルーブ内の変調信号の一部として物理的にエンコードしてもよい。ウォブル信号の読み取りおよびデコードは、ＣＤ−Ｒ／ＲＷ読み取り装置等の光ディスク読み取り装置の標準的な機能であるため、論理トリガは、光バイオディスクの読み取り動作に影響を与えることなくデコードすることができる。
【００４１】
本発明の別の実施形態では、デコーディング経路に任意選択的な二次デコーダ１９８を追加して、一次デコーディングコンポーネント１９６ではデコードされないトリガ特徴を論理的にデコードすることができる。
【００４２】
図７は、本発明の一実施形態に従ってトリガするプロセスを示す。ステップ２１０において、トリガをバイオディスク上の検出可能な場所にエンコードする。ステップ２１２において論理トリガを検出する。ステップ２１４において論理トリガをデコードする。論理的なエンコーディングは、バイナリエンコーディング、バーコードエンコーディングまたは他のエンコーディングフォーマットとすることができる。ステップ２１６において、論理トリガによってトリガされるアクションを実行する。例えば、光ディスクハードウェアをトリガしてデータサンプリングを開始するか、またはディスクドライブが異なるスピードモードに入ってもよい。
【００４３】
以下のセクションでは、論理トリガ、ユーザデータにエンコードされたトリガ、および物理的なトリガの多数の実施形態を提示する。
【００４４】
論理トリガ特徴のエンコーディング
論理トリガ特徴を作成するために、本発明の実施形態は、既存のピット、ランド、グルーブ、相マーク、山形マーク、またはドライブ機能を行う任意の他の動作コンポーネントを用いる。例えば一実施形態において、トリガ特徴は、ＣＤ、ＣＤ−Ｒ／ＲＷ、またはＤＶＤファミリーのディスクのピットにエンコードされる。これらの動作コンポーネントは、ドライブ（すなわち一次デコーダコンポーネント）に備わっているデコーディング技術と相互作用してトリガ事象（incidents）を作成する。別法として、これらの動作機能は、ドライブに追加された外部のデコーディング経路（二次デコーダコンポーネント）と相互作用する。
【００４５】
一実施形態によれば、トリガ特徴は、ウォブルドグルーブと重なるかまたは一致するピットパターンに含まれる。ＤＶＤ−ＲおよびＤＶＤ＋Ｒフォーマットには多くの場合プリピットまたはプリランド（pre-land）マークが含まれており、予めマスタリングされた制御情報を格納する。図８は、一実施形態による特徴のいくつか、すなわちグルーブ２３２、ランド２３４、およびランドプリピット２３６を有するＤＶＤ−Ｒ２３０の断面図を示す。反射層は影を付けた層によって示される。トリガ信号は、ランドプリピット２３６の規則的な予めマスタリングされた制御情報とともにエンコードされる。一実施形態において、未使用ビットは、トリガ信号をエンコードするために用いられる。別の実施形態においては、標準的な仕様のデータビットのエンコード機能をトリガとして用いて、特定のフラグが立つと、これをトリガとして解釈するようにする。別の実施形態においては、制御情報中の未使用または予約ビットは、トリガをエンコードするために用いられる。図８は、レーザビーム２３８がディスクに当たる場所およびディスクの透明な基板層２４０も示す。図示の２つのグルーブ間の平均距離は０．８μｍであるが、これは例示に過ぎず、他の実施形態では変更してもよい。
【００４６】
別の実施形態においては、トリガは、ＣＤ−Ｒ／ＲＷディスクの二相マーク情報にエンコードされる。ＣＤ−ＲおよびＣＤ−ＲＷの両方において、ウォブルグルーブ（プリグルーブとも呼ばれる）は、様々なドライブ制御動作の目的で用いられる。グルーブは、書き込みヘッドのトラッキングを適切に保ち、ウォブル（２２．０５ＫＨｚ周波数の正弦波）は、タイミング情報をレコーダに提供する。ウォブルは、＋／−１ＫＨｚの信号で周波数変調され、プリグルーブにおける絶対時間（ＡＴＩＰ）として知られる絶対的な時間クロッキング信号を作成する。
【００４７】
より具体的には、プリグルーブ内の変調信号は、（１）モータ制御情報（キャリア周波数）および（２）タイムコード情報（キャリア周波数を変調したもの）を含む。上記のように、モータ制御は、２２．０５ｋＨｚのキャリア周波数によって駆動される。タイムコード情報は、図９Ａの表に示すＡＴＩＰフレームの形態で含まれる。
【００４８】
タイムコード情報は、様々な制御情報をエンコードするデータビットを有する。ビット５、１３、および２１のデータフォーマットは、ＡＴＩＰフレームの情報の構成を決める。ビット５が１である場合、特殊なＡＴＩＰデータフレームフォーマットを認める。例えば、ビット５、１３、および２１をそれぞれ１０１としてエンコードした場合、ビット６、７、および８の位置にエンコードされる情報は、基準パワー（ディスクの光記録パワー）であるＰｒｅｆフラグを含む。
【００４９】
本発明の一実施形態において、タイムコードの一部は、トリガをエンコードするために用いられる。トリガには多様な方法を用いることができる。一方法は、タイムコードの予め定義されたシーケンスを用いてトリガをエンコードすることである。例えば、標準的なモードの１つをエンコードしてトリガの存在を示すことができる。既存のＣＤ−Ｒ／ＲＷ規格は、いくつかの動作モード(operational modes)を定義する。したがって、１つの動作モードから別の動作モードへの変更のエンコーディングは、一次デコーダによってデコードされる。このような変更は、デコーダのアクティビティを監視しているシステム全体によって解釈されることができる。任意の予め定義されたドライブ動作または標準的な仕様によって定義されるシステム制御コードをトリガとして用いることができる。別の方法は、タイムコードの予約または未定義エリアを用いてトリガをエンコードすることである。
【００５０】
図９Ｂは一般的なプロセスを示す。ステップ２４２において、ウォブルグルーブ全体に、所望のトリガを含む制御ワード（例えば上に示したタイムコード）をエンコードさせる。ステップ２４４においてディスクを読み取る。ステップ２４６において、ディスク読み取り装置内の一次デコーダが制御ワードをデコードする。ステップ２４８では、一次デコーダを監視しているシステムがトリガのデコーディングを示し、トリガされたアクションを行う。図９Ｃはグルーブウォブルの概要を示す。ウォブルの振幅の平均は１０〜１５ｎｍであるが、他の場合に変更することができる例示に過ぎない。図９Ｃは、半径方向２５６を含む２つのランド２５２および２５４の間のトラックピッチ２５０も示す。
【００５１】
本発明の別の実施形態は、同様のシステム制御ワードをＤＶＤ方式のシステムにおけるトリガ目的に用いることである。このような制御ワードは通常、ＤＶＤ方式のシステムではグルーブではなくピットにエンコードされるが、エンコーディングおよびデコーディング方法原理はＣＤ−Ｒ／ＲＷシステムと同じままである。
【００５２】
ＤＶＤ−ＲＡＭヘッダ
ＤＶＤ−ＲＡＭは、瞬時に場所を見つけることをサポートする光ディスクフォーマットである。より具体的には、ＤＶＤ−ＲＡＭはディスク全体にわたってヘッダエリアを含む
ため、磁気ディスクドライブと同様にアドレス指定されることができる。本発明の一実施形態は、光バイディスクを作成するために変更したＤＶＤ−ＲＡＭを用いる。ＤＶＤ−ＲＡＭは、ヘッダエリアによってタグ付けされるサンプルエリアを含むように変更される。したがって、本発明のこの実施形態は、ＤＶＤ−ＲＡＭドライブの内蔵の光コンポーネントを用いて、トリガにエンコードされたヘッダ（trigger-encoded header）を読み取る。共通のＤＶＤ−ＲＡＭ論理デコーダは、変更したディスクからのヘッダ情報をデコードするので、ＤＶＤ−ＲＡＭ読み取り装置に変更を加えることなくアドレス情報を容易に抽出することができる。したがって、ディスク上のヘッダは、サンプルエリアからのデータ信号のサンプリングを開始および終了させるためのトリガの役割を果たすことができる。サンプルエリアは、トリガによってタグ付けされるため、ＤＶＤ−ＲＡＭ方式の光バイオディスク上のサンプルエリアは、エンコードされたトリガ特徴によりランダムにアドレス指定することができる。
【００５３】
図１０は、ＤＶＤ−ＲＡＭディスク２６６上のランド・グルーブトラック２６２の２４個のゾーン（２６０）を示す。各トラックは、セクタ２６４と呼ばれるいくつかのセクションに分割され、各セクタは、各セクタを開始するヘッダ２６８によって規定される。したがって、そのようなヘッダが２４個のゾーンのそれぞれにいくつかある。ディスクはまた、ディスクの最も内側のゾーンであるエンボスエリア２７０と、レーザ光がランドからグルーブに切り替わることができるゾーンに対して垂直な線であるランド／グルーブ切替点２７２とを示す。ディスクに関する一般的な情報（トラック数およびセクタ数等）を保持するエンボスエリア２７０を除いて、他の２４個のゾーンは全て書き換え可能なエリアである。換言すれば、これらの２４個のゾーンは、レーザ光を用いて書き込み、かつ／または読み取ることができるデータを保持することができる。
【００５４】
図１１Ａは、通常のＤＶＤ−ＲＡＭディスクの断面図を示す。このディスクは、グルーブ２８２と組み合わされたランド２８０を含む。図に見られるように、これらのランドおよびグルーブは互いに直線的に平行ではなく、トラックウォブリングと呼ばれるウォブルエッジを有し、これは図中の２９２の項目である。この図は、ゾーンのヘッダ（２８４）およびデータフィールド情報セクション（２８６）の拡大図も示す。本発明の一実施形態において、トリガ特徴は、ヘッダエリア（２８４）のピット（２８８）にエンコードされる。図に見られるように、ランドおよびグルーブを収容するデータフィールドセクションは、反射率の低いエリアである、記録マーク（２９０）と呼ばれる凹エリアを有する。
【００５５】
図１１Ｂは、ＤＶＤ−ＲＡＭディスクのヘッダ２９４およびウォブルド部分２９６の図であり、各トラックピッチは０．７４μｍであり、ヘッダ（またはアドレス情報部分）はエンボスピット（２８８）、８／１６変調および４つのＩＤを有し、ウォブルドセクションは純音（〜１６０ｋＨｚ）および２０ｎｍｏｐのウォブル振幅（０．０２μｍ）を有するが、上記の寸法および測定値はすべて例示のみを目的とするものであり、他の光バイオディスクの実施形態では変化する可能性がある。アドレス信号は、ＣＡＰＡ（Complimentary Allocated Pit Addressing）と呼ばれる方法を物理ＩＤ（ＰＩＤ）として用いており、セクタ毎に１度記録される。ＣＡＰＡにおいて、ＰＩＤを記録するピットは、データ記録トラック（ランドまたはグルーブ）から半トラック分ずれており、図１１Ｂに示すような構造を形成する。グルーブトラッキングモードの場合、アドレスは後方のＣＡＰＡ信号から得ることができる。ランドトラッキングモードの場合、アドレスは前方のＣＡＰＡ信号から得られる。各ゾーンにおいて、ＣＡＰＡは半径方向に整列しており、ＣＡＶ動作を可能にする。各ＣＡＰＡヘッダ間のデータ記録エリア（ランドまたはグルーブ）は蛇行（ウォブル(wobbled)）している。ウォブルの数を数えることにより、ドライブは次のＣＡＰＡヘッダの位置を正確に知ることができる。一実施形態において、ある種のヘッダは、ディスク全体にわたるサンプルエリアと結合している。これらのヘッダは、これらのヘッダに特別なビットをエンコードすることによりトリガとして用いられる。図１２Ａ、図１
２Ｂ、および図１２Ｃは詳細をさらに示す。
【００５６】
次に特に図１２Ａを参照すると、１２８バイトのＤＶＤ−ＲＡＭヘッダにおける４つのヘッダフィールドのレイアウトが示される。図１２Ａにおいて、４つのヘッダフィールドの各々は、ＶＦＯ（可変周波数発振器）フィールド、ＡＭ（アドレスマーク）フィールド、ＰＩＤ（物理ＩＤ）フィールド、ＰＥＤ（ＰＩＤ誤り検出）ファイル、およびＰＡ１（またはＰＡ２）（ポストアンブル）フィールドからなる。これらの４つのフィールドの合計は１２８バイトである。図１２Ａに示す数の単位はバイトである。これらのフィールドは、ＤＶＤ−ＲＡＭデータの読み取り動作において、またアドレス指定のために用いられる。一実施形態において、トリガは、サンプルエリアを見つける、特徴付けの開始および終了を指示する、および他のドライブ機能を指示するために、これらのデータフィールドにエンコードされる。
【００５７】
図１２Ｂは、書き換え可能エリアにおけるヘッダフィールドのレイアウトを示す。一実施形態において、ＰＩＤフィールドは、トリガをエンコードするために用いることができる。上部は、トラックの１番目のセクタのヘッダフィールドのレイアウトである。下部は、トラックの他の全てのセクタのヘッダフィールドのレイアウトである。図１２Ｃは、ヘッダアドレスのＰＩＤフィールドである。特に、ＰＩＤのビットは、トリガをエンコードするために用いることができる。エンコーディングは、ＣＤ−Ｒ／ＲＷ方式のディスクのウォブルグルーブ信号のタイムコード制御情報にトリガをエンコードする際に用いられる方法と同様に行うことができる。トリガは、標準的な仕様によって特定のドライブ制御情報を表すように選択された、予約されていないビット（単数または複数）にエンコードすることができる。一実施形態において、特定のアドレスはトリガになるように設定することができる。例えば、トリガの役割を果たすアドレスが読み取られると、所定の時間内に特徴付けが開始するように設定することができる。別のアドレスを、特徴付けを終了させるトリガの役割を果たすようにシステムにおいてタグ付けすることができる。したがって、ディスク上のサンプルエリアの位置決めおよび識別の補助に加えて、アドレス自体がトリガの役割を果たすことができる。さらに、アドレスは、ドライブ動作の変更を示すものとして用いることができる。例えば、特定のアドレスをデータ書き込みのために確保し、データが読み取られると、読み取りシステムは、サンプリングデータをディスク上の、アドレスヘッダにより示される元のエリアに書き込むようにすることができる。
【００５８】
図１３はプロセス全体を示す。ステップ３００において、ＤＶＤ−ＲＡＭの光バイオディスクに、ヘッダエリアおよびサンプルエリアをマスタリングする。ステップ３０２では、ＤＶＤ−ＲＡＭ方式の読み取り装置を用いてＤＶＤ−ＲＡＭ光バイオディスクを読み取る。ステップ３０４ではデコーダが、トリガにエンコードされたヘッダをデコードする。デコーダのアクティビティを監視するシステムは、そのようなトリガのデコーディングを示す。デコーダは、この実施形態では一次デコーダ１９６（図６）である。システムは例えば、どのアドレスがトリガの役割を果たすのかを詳細に示すルックアップテーブルを有していてよい。他の実施形態において、特別なビットを、ＣＤ−Ｒ／ＲＷ方式のシステムにおけるタイムコード制御情報の実施形態に用いたエンコーディングと同様にヘッダフィールドにエンコードすることができる。特別なビットを読み取る際にトリガを検出する。一実施形態において、二次デコーダ１９８が、特別なビットをデコードすることを要求される。ステップ３０６において、適切なアクションをトリガする。例えば、ソフトウェアはサンプリング装置に、ＤＶＤ−ＲＡＭ方式の読み取り装置により受け取ったデータのサンプリングを開始または終了するように指示してもよい。
【００５９】
一実施形態において、トリガは、ＤＶＤ−ＲＡＭヘッダ内に作製されるのではなく書き込まれる。トリガは、ＤＶＤ−ＲＡＭ方式の光バイオディスクの読み取りを制御するソフトウェアプログラムに従って書き込むことができる。さらに、ヘッダエリアにおけるトリ
ガの書き込み自体を他のトリガによってトリガさせることもできる。したがって、柔軟でかつ動的な論理トリガシステムを作成することができる。別の実施形態において、トリガは、ヘッダ内にマスタリングすることができる。この実施形態は費用を減らすという利点がある。また、追加のトリガの書き込みが必要ないため、光バイオディスク上の生体サンプルの分析中に必要とされる処理能力が低くなる。
【００６０】
速度制御の検討事項
本発明の様々なトリガ実施形態において、ＤＶＤ方式の光バイオディスクの読み取りは、ＣＡＶ、ＣＬＶ、またはＺＣＬＶ（ゾーン一定線速度(Zoned Constant Linear Velocity)）で行うことができる。ＺＣＬＶは、ＣＡＶとＣＬＶの両方の利点を有する。ＤＶＤは、ＶＢＲ（可変ビットレート(Variable Bit Rate)）と呼ばれる速度制御機構を用いる。ＶＢＲは、物理的な測定を正確に行うことを困難にするため、トリガには理想的でない。これはドライブの速度が、バスを越えてやってくるデータの転送速度を制御するためである。したがって、ＤＶＤドライブ内のバッファが速度を決める。これを克服するために、本発明の一実施形態は、ＤＶＤドライブにおいて、全ての再生をＣＢＲ（一定ビットレート(Constant Bit Rate)）モードへ変更するコマンドを用いる。このコマンドはＤＶＤアプリケーションに含まれている。
【００６１】
ＤＶＤドライブにおける速度制御のもうひとつの方法は、ＺＣＬＶ方式のＤＶＤフォーマットの１つを用いることである。ゾーン内のヘッダはゾーン間の速度を決める。このフォーマットは、ドライブの速度に対してかなり精密な物理的制御を行い、トリガを実施するタスクをより容易にする。
【００６２】
論理トリガの使用はまた、バイオディスクドライブがバイオディスクをＣＡＶで回転させることも可能にする。ＣＡＶは、トリガパルスを生成する際に一定線速度（ＣＬＶ）を越える利点を有する。ＣＬＶでは、速度の変更は、ディスク表面と対物レンズアセンブリとの間の関係を調整するために「リアルタイム」で行われている。これにより、サンプルエリアのデータ信号から抽出された像にわずかなジッタ（方向のバイアス）が生じる。ＣＡＶでサンプルを収集することにより、この誤りは分離される。さらに、バイオディスクの回転速度は上下しないため、バイオディスクのウォブリングにより生じる誤りは少なくなる。現在のＣＡＶの実施態様の１つは、ウォブル信号上にトリガ特徴をエンコードする特別なＣＡＶマスタリングシステムを有するＤＶＤ＋ＲまたはＤＶＤ＋ＲＷフォーマットのディスクである。
【００６３】
トリガの目的で信号を重畳する
論理トリガの実施形態は、ディスク上の動作特徴（例えばランド、グルーブ）と読み取り装置のデコーディング機構との間の相互作用に頼ることに限定されない。本発明では信号を重畳する様々な方法が用いられる。
【００６４】
一実施形態において、トリガパターンは、デコーディング経路に一次または二次信号を生成する追加された干渉特徴である。いくつかの光学式読み取りシステムにおいて、一次信号はＥＦＭデータストリームを含む信号であり、一方、二次信号はＤＣレベルのバランスを保つために用いられる信号である。トリガ特徴からのこの情報は、ディスクによって反射されたかまたはディスクを透過した光から収集した電気信号中に検出される。一実施形態において、この物理パターンはバーコードとしてエンコードされ、また他の実施形態では、他のエンコーディング方式を用いる。例えば、パターンは、ディスクの反射率を選択的に低くして、検出された信号に、バーコードまたはバイナリエンコーディングと相関させることができる交互のハイ／ローパターンを与えることができる。別の例において、フレネル回折の原理に従う分析パターンを光ディスクの作用層に配置して、反射レーザの輝度を選択的に下げる。そのような回折パターンを用いることにより、ＥＦＭ方式におい
て認識されるリーガルワードに対応する信号をこうして生成することができる。一実施形態では、回折パターンを、周辺に集光されるレーザビームとともに用いる。
【００６５】
別の実施形態において、トリガロジックを表すパターンは、ドライブの動作ロジックに重畳される。エンコードされた情報は、瞬時に他の動作機能を行う能力を下げることなく、様々な実施形態の焦点、トラッキング、または同期情報から導出することができる。デコーディング経路は、動作サポート情報のデコーディング経路とは別個であってもよい。例えば、一実施形態において、トリガ特徴は、反射信号に影響を与えたりドライブの機能性を下げたりせず、しかしそれでもなお、レーザの焦点に対して遠位に配置された検出器上の信号から回復されるトリガ信号中に論理トリガパターンを与えるように、ディスクに作製される。図１４はこの例を示す。光バイオディスク３１２は、ＯＰＵ（光ピックアップユニット）３１０が反射光３１８を受け取ることを可能にする干渉パターン３１４を含む。このパターンは、反射光３１８を使用不能にするのに十分なほど入射光を妨げない。したがって、反射光３１８をＯＰＵ３１０において、トラッキング、ドライブ動作の維持等のために検出することができる。その後、反射された動作信号３２２は主デコーディングパスに送られ、トラッキング等のドライブ機能を維持できるようにする。その間、干渉により透過光３２０が上部検出器３１６に到達し、そこで透過信号３２４が代替的なデコーディング経路に送られ、そこで干渉特徴３１４の存在を表す信号を検出することができる。次に、そのような特徴の存在の検出により適切なアクションをトリガすることができる。
【００６６】
別の実施形態では、トリガ信号が図１４の反射された動作信号３２２に重畳される。図１４は、動作信号３２２が主デコーディング経路上にデコードされることを示すが、一実施形態では、トリガ信号は別個の信号経路を用いてデコードされる。例えば、主経路であるウォブル信号上のトラッキング経路を用いてトラッキングおよび同期を行う間に、別個の経路である高周波数（ＨＦ）経路を同時に用いて、光学ドライブの動作機能に影響を与えることなく論理トリガ信号を供給する。
【００６７】
ユーザデータにエンコードされたトリガ
別の実施形態では、トリガ情報は物理信号として重畳されるのではなく、ディスク上のデータに直接エンコードされる。デザインにより、光ディスク内のユーザロジック（すなわち、どのデータをユーザが格納するか）は、動作機能とは独立している。したがって、トリガロジックの回転位置を計算して、ディスク上にマスタリングされる像にすることができる。ディスク像は、既知のサイズのファイルをディスク上の物理的な位置に関連する論理的な位置に配置するために作成される。ソフトウェアプログラムを用いてファイルの位置をそのディスク上の位置に関して計算してもよい。
【００６８】
例えば、ディスク上に書き込まれる像の開始は、特定のサイズのファイルであってよい。このファイルのサイズを知っていることにより、ディスクの書き込み可能部分の始点からの物理的なオフセットを得ることができる。別のファイルは、１番目のフィアルの終点から辿って２番目のオフセットを得ることができる。ディスク全体の任意の点は、既知のサイズのファイルを像に含めることによってアクセスすることができる。図１５にこのプロセスを示す。ステップ３３０において、既知のサイズのファイルおよび物理的なオフセットを計算する。この計算のルックアップテーブルを格納する。次にステップ３３２において、ファイルを像に含める。ステップ３３４において、ディスクに像を書き込む。ステップ３３６において、ディスクを読み取る。ステップ３３８において、特定のファイルのアクセスにより、ディスクの読み取りへッドをディスクの所望の物理的な場所に位置決めする。物理的なオフセットを計算するために用いるソフトウェアプログラムは、格納されたルックアップテーブルを用いることにより、所望の場所に配置されたファイルにアクセスすることができる。ステップ３４０において、所望の場所で適切なアクションをとるこ
とができる。例えば、ファイルの隣にサンプルエリアを配置して、ファイルを読み取ると、そのサンプルエリアからの信号データのサンプリングを開始または終了できるようにすることができる。ドライブモードまたはレーザパワーは、特定のファイルにアクセスすると変更するように構成することができる。一実施形態では、ファイル自体もまた光ディスクドライブまたは他の論理情報に対する指示を含むことができる。
【００６９】
一実施形態において、ユーザデータエリア内にエンコードされたトリガ情報は、ドライブがトリガパターンに応答する方法を変更するように動作機能を制御するために用いられる情報を含む。例えば、第１の論理信号を用いてサンプルエリアのサンプリングまたは他のデータサンプリングプロセスを呼び出し、次に第２の論理信号を用いて二次サンプリングプロセスを行う、等とすることができる。別の例において、光バイオディスク上のデータに論理トリガを含めて、Ａ／Ｄサンプリングプロセスを開始することができる。ユーザデータに含まれていない二次物理パターンを用いてサンプリングプロセスを終了することができる。したがって、物理トリガまたは論理トリガをこのユーザデータにエンコードされたトリガとともに用いることができる。
【００７０】
リーガルおよびイリーガルワード
一実施形態において、既存のエンコーディング／デコーディング方式においてリーガルであるが未使用のワードを、論理トリガとして用いる。例えば、ＥＦＭ（１８−１４変調(Eighteen-to-Fourteen Modulation)）はＣＤをエンコードおよびデコードする際の標準的な方式である。ＤＶＤデータにはわずかに異なる方式８−１６を用いる。簡単に言えば、０−１および１−０の移行を最小にし誤差を減らすには、８ビットのデータワードをそれらに固有のパターンに対して選択された１４ビットのワードに翻訳する。図１６は、データビットからの翻訳の例を示す。当該技術分野における１つの標準的な方式において、可能な１６，３８４個の１４ビットのワードのうちの２６７個をリーガルワードとみなしてＥＦＭに用いる。８ビットのエンコーディングを満足するには２６７個のうち２５６個しか必要でないため、１１個のワードは未使用となる。これらのワードのうちの２つはシステム動作のために確保されることがある。本発明の一実施形態は、未使用のリーガルワードを論理トリガとして用いる。これらのリーガルワードをエンコードしてトリガとして使用することで、ＣＤドライブの動作は影響を受けない。
【００７１】
別の実施形態は、リーガルワードとして認識されないトリガエンコーディングを用いる。例えば、イリーガルワードは、タグ付けしまた認識することができる特定の訂正可能なＣ１またはＣ２の誤りを生じる可能性がある。したがって、本発明は、ＣＤ読み取りシステムに固有の、そのようなＣ１またはＣ２の誤りを増やす能力を用いてトリガのエンコーディングを実施する。同様に、ＤＶＤ方式の読み取りシステムではＰＩ／ＰＯ誤りを利用することもできる。ディスク上にエンコードされる同期パターンが正確である限り、イリーガルワードの存在がドライブの動作を妨げることはない。しかしながら、既存の誤り訂正方式では訂正不能な誤りを生じるほどに頻繁にトリガの間隔を空けてはならない。
【００７２】
多層ディスク
トリガ信号は、光バイオディスクアセンブリの二次層内またはその上に含めることもできる。例示的な実施形態において、１つの作用面からの論理トリガパルスは、対物レンズアセンブリの集光動作を第１の作用面と平行な第２の作用面へ送る。集光位置の移動は一時的であっても永久的であってもよい。集光位置は、明示的なコマンドによって移動されるのではなく、二次表面からの光の影響に関与するように十分ずらされる。
【００７３】
別の実施形態では、二次レーザを用いて、一次ビームと同一のサンプル光検出器内で論理トリガ応答を行う。このようにして、二次レーザの相互作用からの情報は、二次層からの特徴の像を、一次層からの反射された信号上に生成することができる。
【００７４】
一実施形態では、反射または透過信号と相互作用するディスクの焦点面に含まれない物理特徴を用いて、応答を生成する干渉パターンを作成してもよい。例えば、ＤＶＤディスクのレイヤ１にホログラフィック特徴を設ける。レイヤ０からの光は動作経路において動作機能を行っている。レイヤ０からの光はレイヤ１のホログラフィック特徴に透過されて、レイヤ１を越えた検出器にトリガ信号を供給する。ホログラフィック特徴の物理コンポーネントは、レイヤ１の焦点面にあっても、レイヤ１に対して遠位にあっても、あるいはレイヤ０とレイヤ１との間のエリアに含まれていてもよい。
【００７５】
光学積層体
物理的なトリガの一実施形態において、光ディスクアセンブリの設計は、集光される層の二次コンポーネントを使用して、レーザ光の一次コンポーネントから建設的に加減算するように設計された光学積層体を含む。このようにして、トリガ特徴をディスクの異なる物理コンポーネント上に含めるものの、ディスクアセンブリから収集した最終的な一次信号と相互作用することができる。
【００７６】
化学トリガ
本発明の別の物理的なトリガの実施形態において、トリガは光ディスクアセンブリの化学変化によって呼び出される。このトリガ形態において、レーザエネルギー、ディスクの回転により生じる運動エネルギー、またはディスクに含まれる化学成分は、特徴的なトリガ信号を生じる化学反応を引き起こす可能性がある。このように検査システムプロセスは、反応によって十分なトリガ信号が生成されない限り、サンプルエリアを無視する。例示的な実施形態において、化学反応は、サンプル領域における色の変化を生じる。反応が十分に強い色の変化を生じる場合、トリガが作成される。さらに、ある種の化学物質をディスク内に配置して、レーザ光の偏光に影響を与えることができる。例えばこの化学物質は、偏光形状を円形から楕円形に変化させるようにＸ成分およびＹ成分に影響を与えることができる。
【００７７】
一実施形態において、ディスクが回転する際にサンプルエリアは化学反応を起こし、化学物質に運動エネルギーが加わる。ディスク上の所定の場所における化学反応は、レーザがその場所の上を移動する際に検出器からの信号にコントラストを生じる。この反応は、コントラストがサンプルエリアのデータのサンプリングおよび分析プロセスを開始または終了させるトリガ信号を促進するのに十分となるように設計することができる。別の実施形態において、化学反応は瞬間的なものではなく、所定期間にわたって反応し、サンプリングおよび分析プロセスを開始または終了させる。一実施形態において、トリガ信号の開始とそれが受け取られる時点との間の時間はシステムに対する有効な応答となる。別の実施形態において、１つまたは複数の化学トリガを形成するために必要な時間は予め決まっている。さらに別の実施形態では、第１の化学トリガおよび第２の化学トリガの検出の間の時間が、測定される応答である。
【００７８】
アドレス指定システムとしてのトリガ特徴
本発明の一実施形態において、データサンプリングをトリガするための使用を越えた物理的なエンコーディングは、光バイオディスク上のサンプルエリアのアドレス指定方式を提供するために用いられる。図１７は、サンプルエリア４０２および論理トリガ４０４を有する光ディスク実施形態４００のセクションの拡大図（enlarged perspective）を示す。トリガ４０４は、サンプルエリア４０２の隣に配置されており、光ディスクを読み取るハードウェアがトリガ信号を受け取ることを可能にし、そのハードウェアがサンプルエリアから入ってくる信号のサンプリングを開始できるように設計される。
【００７９】
図１８Ａは、サンプルエリア４１２の拡大図を示す。このエリアの左側には「チャンク
」アドレスと呼ばれるトリガ４２０がある。この「チャンク」アドレスは、サンプルエリアの特定部分を識別するために用いられる。エリアの右側にはスポット番号アドレストリガ４２２がある。スポット番号は、サンプルエリアを識別するために用いられる。
【００８０】
図１８Ｂは、ディスク上の「チャンク」アドレストリガ４２０に設けられるバイナリアドレスエンコーディングの方式の例を示す。図示のように、トリガは、トリガを読み取るセンサによって検出される信号と対になっている。このトリガ方式において、最も左側のトリガは常に暗くされ、ローすなわち「０」の信号を与える。読み取り方向は右から左であるため、最も左側のトリガは常に、サンプルエリアを読み取った後で最後に読み取られる。したがって、ローの信号は「リードアウト」信号とも呼ばれる。先行するトリガは、明るく（「１」）または暗く（「０」）なるようにエンボスされて二進数をエンコードする。図１８Ｂは、１から１２までの構成の例も挙げる。
【００８１】
図１８Ｃは、ディスク上のスポットアドレストリガ４２２に設けられるバイナリアドレスエンコーディングの方式の例を示す。図示のように、トリガは、トリガを読み取るセンサによって検出される信号と対になっている。このトリガ方式において、最も右側のトリガは常に暗くなるようにエンボスされ、ローすなわち「０」の信号を与える。読み取り方向は右から左であるため、最も右側のトリガは常に、サンプルエリアを読み取る前に最初に読み取られる。他のトリガは、明るくされる（「１」）かまたは暗くされて（「０」）二進数をエンコードする。この図は、１から１２までの構成の例を挙げる。
【００８２】
図１８Ｄは、スポットアドレストリガ４２２を用いてサンプルエリアの識別をどのように行うことができるのかを示す。１番目の線（最も右側）は常にローの信号であり、サンプルエリア（すなわち「スポット」）の開始を示す。次に、バイナリエンコーディングを用いてサンプル番号を示す垂直バーを有するアドレス領域がくる。したがって、バイオディスクのサンプルエリアの隣の各スポットアドレスは異なる番号を有する。
【００８３】
図１８Ｅは、サンプルエリア４１２とサンプルエリア４１２の各部分の両方を識別するのに、トリガをどのように用いるかを示す。この例において、スポットアドレストリガ４２２は、トリガでマークされていないエリア４２６の右側に配置される。右から左へ読み取ると、１番目のトリガは暗く、ローすなわち「０」の信号をエンコードする。この信号は「リードイン（lead-in）」信号としての役割を果たし、データのサンプリングを開始するようシステムに警告する。次に、バイナリアドレスをエンコードする４つのトリガが続く。この例において、サンプルエリア４１２が光バイオディスク上のスポット番号１であることを識別するために、トリガは１をエンコードしている。
【００８４】
サンプルエリア４１２の左側では、もう１つのトリガでマークされていないエリア４２４がディスクの反射材料を有する。エリア４２４はハイすなわち「１」の信号となる。この次に、チャンク１〜９のアドレス指定方式をエンコードするトリガを含む「チャンク」アドレストリガ４２０が続く。最後の「リードアウト」信号は、「チャンク」アドレストリガ４２０の最も左側の暗い（dark）トリガによって得られる。光バイオドライブのヘッドが右から左へ読み取りを行うに従い、トリガは、光バイオディスク読み取り装置がサンプルの読み取り場所を識別するのに役立つ。
【００８５】
上述したアドレス指定システムは、物理トリガまたは論理トリガまたはユーザデータにエンコードされたトリガと組み合わせることができる。
【００８６】
セキュリティ特徴としてのトリガ
一実施形態において、トリガパターンは、光バイオディスク上のセキュリティ特徴としてエンコードされることができる。デコーディングプロセスは、ディスクをロックアウト
するための特定のパターンを探すことができるため、ドライブは特定のタイプの光ディスクのみを読み取ることになる。例えば、ＰＧＰキーシステムを光バイオディスク上にエンコードして、バイオディスク読み取り装置が適切なディスクのみを読み取るようにする。一実施形態において、光ディスク上に第１の物理パターンを設ける。この物理パターンはエンコードされたデータキーを表す。すると、光ディスクを読み取る光ディスクドライブが物理パターンを検出する。次に物理パターンをデコードしてデータキーを取り出す。この後、照合ステップを行い、データキーを既知のセキュリティアルゴリズムによりドライブ中の別のセキュリティキーと照合する。アルゴリズムで一致が生じた場合、光ディスクの読み取りを開始する。
【００８７】
ドライブ機能の制御
様々な実施形態において、トリガパターンは、ドライブにおける多くのタイプの物理的なプロセス（動作機能の一時的な変更を含む）を呼び出すために用いられる。また、トリガパターンを用いることにより、ディスク上のサンプルエリアの検査中に集光位置を回転毎に一時的にずらすことができる。さらに、ドライブが特定のサンプルエリアと相互作用する間にディスクの回転速度を妨害または変更してサンプリング信号を供給することができる。別の実施形態では、ドライブがディスク上のサンプルエリアと相互作用する間にレーザパワーを一時的に上げ下げしてトリガ信号を供給することができる。
【００８８】
図１９は、本発明の一実施形態に従う、論理トリガがドライブに動作モードを所定期間のあいだ変更するように指示するバイオディスクドライブの制御プロセスを示す。ステップ４４０において、論理トリガを検出してデコードする。ステップ４４２において、論理トリガが、バイオディスクドライブの動作モードを設定された期間のあいだ変更する。一実施形態において、期間は論理トリガに関連するため、異なる論理トリガは異なる持続時間の変更を生じる可能性がある。別の実施形態では、期間は論理トリガに依存しない。ステップ４４４において、期間が経過しドライブは元の動作モードに戻る。別の実施形態では、ドライブは期間の終了時に動作モードを変更するが、ただし元の動作モード以外の第３の動作モードに変更する。
【００８９】
一実施形態において、論理トリガは、バイオディスクドライブのサンプリングされた信号の読み取り開始を信号で合図する。したがって、動作モードは信号が読み取られているモードに変更される。別の実施形態において、論理トリガは、サンプリングされた信号の読み取り終了を信号で合図する。したがって、動作モードは信号が読み取られていないモードに変更される。さらに別の実施形態において、論理トリガはバイオディスクドライブに、ヘッドの位置を変更するように指示する。さらに別の実施形態において、論理トリガはバイオディスクドライブに、レーザを再集光するように指示する。他の実施形態では、論理トリガが他のドライブ制御コマンドをトリガして、ドライブを異なる動作モードに変更する。
【００９０】
まとめ
したがって、１つまたは複数の具体的な実施形態を用いて光バイオディスクの論理的なトリガ方法および装置を記載した。示した実施形態は例示に過ぎないことに留意しなければならない。所望の結果を達成するために、様々なトリガ方法および装置の組み合わせを容易に適用することができる。
【００９１】
さらに、本明細書中で言及する特許、仮特許、特許出願、技術標準、および他の刊行物は全てその全体を参照により本明細書中に援用されることを理解すべきである。
【００９２】
また、特定の好ましい実施形態を参照して本発明を詳述してきたが、本発明はそれらの厳密な実施形態に限定されないことが理解されるべきである。むしろ、現時点における本
発明を実施するための最良の形態を記載する本開示に鑑みて、当業者は、本発明の範囲および精神を逸脱することなく多くの修正および変形を思い付くであろう。したがって本発明の範囲は、上記の説明ではなく添付の特許請求項に示される。特許請求項と等価な意味および範囲内にある変更、修正、および変形はすべて特許請求項の範囲内にあるとみなされる。
【００９３】
さらに当業者は、日常的な実験を用いて、本明細書中に記載した本発明の特定の実施形態に対する多くの等価物を認識するか、または確認できるであろう。そのような等価物もまた、添付の特許請求項に包含されることが意図される。
【図面の簡単な説明】
【００９４】
【図１】光バイオディスクシステムの一例の図である。
【図２】光バイオディスクの拡大斜視図である。
【図３】光バイオディスクシステムの内部動作を示すブロック図である。
【図４】図４は、トリガに用いられる光バイオディスクの一例を示す図である。
【図５】光バイオディスク上のトリガの検出に用いられるコンポーネントの詳細を示すブロック図である。
【図６】本発明における様々な形態のトリガで用いられるコンポーネントの概念図である。
【図７】図７は、本発明によるトリガ方法のプロセスのフロー図である。
【図８】ＤＶＤ−Ｒディスクの断面図である。
【図９】Ａは、本発明の一実施形態による論理トリガのエンコーディングに用いられるＡＴＩＰフレームの図である。    Ｂは、図９Ｂは、ウォブルグルーブからの信号を論理トリガの目的で用いるプロセスを示すフロー図である。    Ｃは、図９Ｃは、本発明の一実施形態によるＣＤ−Ｒ／ＲＷファミリーのディスクのウォブルグルーブ信号にエンコードされるトリガパターンを示す図である。
【図１０】ＤＶＤ−ＲＡＭディスクの概略図である。
【図１１Ａ】図１１Ａは、ＤＶＤ−ＲＡＭディスクのヘッダおよびウォブルドＬ／Ｇ（ランド／グルーブ）部を示す図である。
【図１１Ｂ】図１１Ｂは、ＤＶＤ−ＲＡＭディスクのランド・グルーブ記録を示す図である。
【図１２Ａ】標準的な仕様によるＤＶＤ−ＲＡＭフォーマットのセクションおよびヘッダのレイアウトを示す図である。
【図１２Ｂ】標準的な仕様によるＤＶＤ−ＲＡＭの物理的なヘッダフィールドレイアウトを示す図である。
【図１２Ｃ】標準的な仕様によるＤＶＤ−ＲＡＭフォーマットのヘッダフィールドのＰＩＤ部分を示す図である。
【図１３】図１３は、ＤＶＤ−ＲＡＭ光バイオディスクにおけるトリガの使用を示すフロー図である。
【図１４】図１４は、反射信号に影響を与えることなく上部検出器によって検出されることができる干渉信号を生成するトリガ実施形態を示す図である。
【図１５】図１５は、データファイルを用いて光バイオディスク上のトリガロジックの物理的な位置を計算するプロセスを示すフロー図である。
【図１６】図１６は、ＥＦＭ変換リストの一例である。
【図１７】図１７は、サンプルエリアの隣にトリガが設けられた光ディスクを示す図である。
【図１８−１】図１８Ａは、サンプルエリアを２つのトリガと結合することができる方法を示す図であり、図示の２つのトリガはチャンクアドレストリガとスポット番号アドレストリガを含む。
【図１８−２】図１８Ｂは、チャンクアドレストリガのバイナリエンコーディングを形成するトリガを示す図である。    図１８Ｃは、スポットアドレストリガのバイナリエンコーディングを形成するトリガを示す図である。
【図１８−３】図１８Ｄは、スポットアドレストリガを示す図である    図１８Ｅは、トリガがチャンクアドレストリガおよびスポットアドレストリガのバイナリエンコーディングを形成するサンプルエリアの一例を示す図である。
【図１９】図１９は、トリガの使用による光バイオディスクの動作モードの変更を示すフロー図である。
【図１】
2005516336.tif 000003
【図２】
2005516336.tif 000004
【図３】
2005516336.tif 000005
【図４】
2005516336.tif 000006
【図５】
2005516336.tif 000007
【図６】
2005516336.tif 000008
【図７】
2005516336.tif 000009
【図８】
2005516336.tif 000010
【図９】
2005516336.tif 000011
【図１０】
2005516336.tif 000012
【図１１Ａ】
2005516336.tif 000013
【図１１Ｂ】
2005516336.tif 000014
【図１２Ａ】
2005516336.tif 000015
【図１２Ｂ】
2005516336.tif 000016
【図１２Ｃ】
2005516336.tif 000017
【図１３】
2005516336.tif 000018
【図１４】
2005516336.tif 000019
【図１５】
2005516336.tif 000020
【図１６】
2005516336.tif 000021
【図１７】
2005516336.tif 000022
【図１８−１】
2005516336.tif 000023
【図１８−２】
2005516336.tif 000024
【図１８−３】
2005516336.tif 000025
【図１９】
2005516336.tif 000026
【国際調査報告】
2005516336.tif 000027
2005516336.tif 000028
2005516336.tif 000029
2005516336.tif 000030
2005516336.tif 000031
2005516336.tif 000032